(57)【特許請求の範囲】
【請求項１】
平行平板であるレンズ基板と、前記レンズ基板の物体側基板面および像側基板面の少なくとも一方の基板面に連なる正パワーまたは負パワーを発揮するレンズと、を有するレンズブロックが、少なくとも１つ以上含まれるとともに、
光量を規制する開口絞りが含まれており、
前記レンズブロックは、前記レンズ基板とは異なる材質で形成される前記レンズを含み、
前記レンズブロックである第１レンズブロックは、最も物体側に位置し、
その第１レンズブロックでは、前記レンズ基板である第１レンズ基板が含まれ、かつ、前記レンズであるレンズＬ[LS1o]が前記第１レンズ基板の物体側基板面に連なり、
前記レンズＬ[LS1o]の物体側レンズ面は、物体側凸面であり、
前記レンズブロックである第２レンズブロックが、前記第１レンズブロックの像側に位置し、
その第２レンズブロックでは、前記レンズ基板である第２レンズ基板が含まれ、かつ、前記レンズであるレンズＬ[LS2o]が前記第２レンズ基板の物体側基板面に連なり、
前記レンズＬ[LS2o]の物体側レンズ面は、物体側凹面であるとともに、前記レンズであるレンズＬ[LS2m]が前記第２レンズ基板の像側基板面に連なり、
下記条件式（Ａ１）が満たされる撮像レンズ。
０≦ＤＴ[LS1o-ape]／ｄ[LS1]≦１  …  （Ａ１）
ただし、
ＤＴ[LS1o-ape]  ：第１レンズ基板の物体側基板面から開口絞り面に至るまでの
長さ
ｄ[LS1]         ：第１レンズ基板の光軸上の厚み
である。
【請求項２】
前記開口絞りが、前記第１レンズ基板の物体側基板面に形成される請求項１に記載の撮像レンズ。
【請求項３】
前記開口絞りが、遮光性膜であり、前記第１レンズ基板の物体側基板面または像側基板面に形成されており、
下記条件式（Ａ２）が満たされる請求項１または２に記載の撮像レンズ。
ｄ[ape]＜２５  …  （Ａ２）
ただし、
ｄ[ape]  ：開口絞りの光軸方向の厚み［単位；μｍ］
である。
【請求項４】
前記第１レンズブロックでは、前記レンズであるレンズＬ[LS1m]が前記第１レンズ基板の像側基板面に連なり、
前記レンズＬ[LS1m]の像側レンズ面は、像側凹面である請求項１〜３のいずれか１項に記載の撮像レンズ。
【請求項５】
下記条件式（Ａ３）および（Ａ４）が満たされる請求項１〜４のいずれか１項に記載の撮像レンズ。
１．４＜ｆ[all]／Ｙ’＜１．９  …  （Ａ３）
０．２２≦（ｄ[L[LS1o]]＋ＤＴ[LS1o-ape]）／ｒ[L[LS1o]o]≦１．２  …  （Ａ４）
ただし、
ｆ[all]         ：撮像レンズ全体の焦点距離
Ｙ’            ：最大像高
ｄ[L[LS1o]]     ：レンズＬ[LS1o]の光軸上の厚み
ＤＴ[LS1o-ape]  ：第１レンズ基板の物体側基板面から開口絞り面に至るまでの
長さ
ｒ[L[LS1o]o]    ：レンズＬ[LS1o]の物体側レンズ面の近軸曲率半径
である。
【請求項６】
下記条件式（Ａ５）が満たされる請求項１〜５のいずれか１項に記載の撮像レンズ。
０．０３≦ｄ[LS1]／ＴＬ≦０．３３  …  （Ａ５）
ただし、
ｄ[LS1]  ：第１レンズ基板の光軸上の厚み
ＴＬ     ：撮像レンズにて最も物体側の面から結像面に至るまでの光軸上の長
さ
である。
【請求項７】
前記レンズ基板は、２枚の平板型ガラス片の接合で完成しており、
前記平板型ガラス片同士の接合面に、前記開口絞りが位置する請求項１、４、５および６のいずれか１項に記載の撮像レンズ。
【請求項８】
前記第１レンズブロックでは、前記レンズであるレンズＬ[LS1m]が前記第１レンズ基板の像側基板面に連なり、
下記条件式（Ａ６）が満たされる請求項１〜７のいずれか１項に記載の撮像レンズ。
Ｃｓ[L[LS1o]o]／Ｃｓ[L[LS1m]m]≦１．３  …  （Ａ６）
ただし、
Ｃｓ[L[LS1o]o]  ：レンズＬ[LS1o]の物体側レンズ面上の有効半径
Ｃｓ[L[LS1m]m]  ：レンズＬ[LS1m]の像側レンズ面上の有効半径
である。
【請求項９】
前記第１レンズブロックでは、前記レンズであるレンズＬ[LS1m]が前記第１レンズ基板の像側基板面に連なり、
下記条件式（Ａ７）が満たされる請求項１〜８のいずれか１項に記載の撮像レンズ。
−１３≦ＨＹ[L[LS1m]m]／ＨＹ[L[LS1o]o]≦−０．０８  …  （Ａ７）
ただし、
ＨＹ[L[LS1m]m]  ：レンズＬ[LS1m]の像側レンズ面上にて、そのレンズ面を通過
する最大像高の主光線と光軸との間の長さ
ＨＹ[L[LS1o]o]  ：レンズＬ[LS1o]の物体側レンズ面上にて、そのレンズ面を通
過する最大像高の主光線と光軸との間の長さ
である。
【請求項１０】
前記レンズブロックである第３レンズブロックが前記第２レンズブロックの像側に位置し、
前記第３レンズブロックでは、前記レンズ基板である第３レンズ基板が含まれ、かつ、前記レンズであるレンズＬ[LS3o]が前記第３レンズ基板の物体側基板面に連なるとともに、前記レンズであるレンズＬ[LS3m]が前記第３レンズ基板の像側基板面に連なり、
前記レンズＬ[LS3o]は、物体側レンズ面を物体側凹面にしており、
前記第３レンズ基板の物体側基板面と前記レンズＬ[LS3o]の像側レンズ面とが連なり、前記第３レンズ基板の像側基板面と前記レンズＬ[LS3m]の物体側レンズ面とが連なる請求項１〜９のいずれか１項に記載の撮像レンズ。
【請求項１１】
前記レンズブロックである第３レンズブロックが前記第２レンズブロックの像側に位置し、
前記第３レンズブロックでは、前記レンズ基板である第３レンズ基板が含まれ、かつ、前記レンズであるレンズＬ[LS3o]が前記第３レンズ基板の物体側基板面に連なるとともに、前記レンズであるレンズＬ[LS3m]が前記第３レンズ基板の像側基板面に連なり、
前記レンズＬ[LS3o]の物体側レンズ面および前記レンズＬ[LS3m]の像側レンズ面の少なくとも一方のレンズ面が非球面であり、
前記第３レンズ基板の物体側基板面と前記レンズＬ[LS3o]の像側レンズ面とが連なり、前記第３レンズ基板の像側基板面と前記レンズＬ[LS3m]の物体側レンズ面とが連なる請求項１〜９のいずれか１項に記載の撮像レンズ。
【請求項１２】
前記レンズでは、空気に触れるレンズ面が非球面である請求項１〜１１のいずれか１項に記載の撮像レンズ。
【請求項１３】
前記レンズと前記レンズ基板とは、互いに異なる屈折率を有する請求項１〜１２のいずれか１項に記載の撮像レンズ。
【請求項１４】
前記レンズが樹脂で形成される請求項１〜１３のいずれか１項に記載の撮像レンズ。
【請求項１５】
前記レンズとなる樹脂には、３０ｎｍ以下の粒径である無機微粒子が分散する請求項１４に記載の撮像レンズ。
【請求項１６】
前記樹脂は、硬化型樹脂である請求項１４または１５に記載の撮像レンズ。
【請求項１７】
前記レンズ基板の物体側基板面および像側基板面に連なる前記レンズは、レンズ基板に直接接着される請求項１〜１６のいずれか１項に記載の撮像レンズ。
【請求項１８】
請求項１〜１７のいずれか１項に記載の撮像レンズと、
前記撮像レンズを通過する光を撮像する撮像素子と、
を含む撮像装置。
【請求項１９】
請求項１８に記載の撮像装置を含む携帯端末。
【請求項２０】
請求項１〜１７のいずれか１項に記載の撮像レンズの製造方法にあって、
複数の前記レンズブロックを並べて含むユニットを、レンズブロックユニットとすると、
前記レンズブロックの周縁の少なくとも一部にスペーサを並べ、複数の前記レンズブロックユニットを、前記スペーサを介在させてつなげる連結工程と、
前記のつながるレンズブロックユニットを、前記スペーサに沿って切断する切断工程と、
を含む撮像レンズの製造方法。
【発明の詳細な説明】
【技術分野】
【０００１】
本発明は、撮像レンズ、撮像装置、携帯端末、および撮像レンズの製造方法に関する。
【背景技術】
【０００２】
昨今、コンパクトで薄型の撮像装置が、コンパクトで薄型の電子機器である携帯端末｛例えば、携帯電話機やＰＤＡ(Personal Digital Assistant)等｝に搭載される。そして、このような携帯端末と、例えば遠隔地の電子機器との間では、音声情報および画像情報等の情報が双方向で伝送される。
【０００３】
ところで、撮像装置に使用される撮像素子としては、例えば、ＣＣＤ(Charge Coupled Device)型イメージセンサおよびＣＭＯＳ(Complementary Metal-Oxide Semiconductor)型イメージセンサの固体撮像素子が挙げられる。また、昨今では、これらの撮像素子上に被写体像を形成する撮像レンズとして、安価に大量生産できる樹脂製レンズが、低コスト化のために用いられる。
【０００４】
このような撮像レンズ、特に、携帯端末に内蔵される撮像装置（いわゆるカメラモジュール）に使用される撮像レンズとしては、プラスチックレンズ３枚構成のタイプ、および、ガラスレンズ１枚とプラスチックレンズ２枚とを含む３枚構成のタイプが、一般的によく知られている。しかしながら、これらの撮像レンズに対するさらなる超コンパクト化と高い量産化とは、技術的な限界から両立しにくい。
【０００５】
このような問題点を克服する一対策として、レプリカ法（replica method）が特許文献１に挙げられる。レプリカ法は、１つのレンズ平板（ウェハ）に多数のレンズ（レンズ要素）を同時に形成する方法である。そして、特許文献１は、レプリカ法で形成された接合型複合レンズ（レンズブロック）を含む撮像レンズを開示する。なお、撮像レンズにおける接合型複合レンズでは、レンズ平板上に回折面と屈折面とが同時に形成されており、それらによって、この撮像レンズは色収差を補正する。
【０００６】
また、特許文献２は、レンズ平板、レンズ平板に対する物体側レンズ、およびレンズ平板に対する像側レンズを含む接合型複合レンズを開示する。そして、この接合型複合レンズでは、収差補正の観点から、レンズ平板、物体側レンズ、および像側レンズのそれぞれの屈折率およびアッベ数が大きく異ならない。
【特許文献１】特開２００６−３２３３６５号公報
【特許文献２】特許第３９２９４７９号公報
【発明の開示】
【発明が解決しようとする課題】
【０００７】
しかしながら、特許文献１に記載の撮像レンズでは、周辺光束にかけて非点収差が大きくなる。また、最も物体側に位置する第１接合型複合レンズでのレンズ平板の物体側面に、開口絞りが形成される。そのため、撮像レンズの光学性能は、開口絞り位置前後におけるレンズ面に大きく依存する。したがって、この撮像レンズの製造誤差感度は、高くならざるを得ない。
【０００８】
また、特許文献２に記載の撮像レンズも特許文献１の撮像レンズと同様である。例えばこの撮像レンズに関して規格化された種々値を現実的な値へ換算したところ、周辺光束にかけて非点収差が大きくなる。また、この特許文献２に記載の撮像レンズでは、第１接合型複合レンズの物体側に開口絞りが配置されており、特許文献１に記載の撮像レンズよりも製造誤差感度がさらに高くなる。
【０００９】
本発明は、前述の状況を鑑みてなされたものである。そして、本発明の目的は、以下の点を満たす撮像レンズ等を提供することにある。
・回折面等を含むことなく、像高に対する光学全長を短縮する。
・良好な収差補正の確保。
・製造誤差感度の抑制。
・コストダウン。
【課題を解決するための手段】
【００１０】
撮像レンズは、平行平板であるレンズ基板と、レンズ基板の物体側基板面および像側基板面の少なくとも一方の基板面に連なる正パワーまたは負パワーを発揮するレンズと、を有するレンズブロックを、少なくとも１つ以上含む。さらに、撮像レンズは、光量を規制する開口絞りも含む。
【００１１】
なお、この撮像レンズにて含まれるレンズブロックは、物体側から像側に向かう順番で、第１〜第４の数字を付される。また、レンズブロックに含まれるレンズ基板も同様に、第１〜第４の数字を付される。さらに、レンズブロックにおけるレンズＬは、レンズ基板ＬＳ（第１レンズ基板ＬＳ１〜第４レンズ基板ＬＳ４）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、レンズＬ[LS4o]、レンズＬ[LS4m]、と表現する。
【００１２】
以上のような撮像レンズでは、レンズブロックは、レンズ基板とは異なる材質で形成されるレンズを含み、第１レンズブロックは、最も物体側に位置する。そして、この第１レンズブロックでは、第１レンズ基板が含まれ、かつ、レンズＬ[LS1o]が第１レンズ基板の物体側基板面に連なり、レンズＬ[LS1o]の物体側レンズ面が、物体側凸面である。さらに、第２レンズブロックが、第１レンズブロックの像側に位置する。そして、この第２レンズブロックでは、第２レンズ基板が含まれ、かつ、レンズＬ[LS2o]が第２レンズ基板の物体側基板面に連なり、レンズＬ[LS2o]の物体側レンズ面が物体側凹面であり、レンズＬ[LS2m]が第２レンズ基板の像側基板面に連なる。さらに、この撮像レンズでは、下記条件式（Ａ１）が満たされる。
【００１３】
０≦ＤＴ[LS1o-ape]／ｄ[LS1]≦１  …  （Ａ１）
ただし、
ＤＴ[LS1o-ape]  ：第１レンズ基板の物体側基板面から開口絞り面に至るまでの
長さ
ｄ[LS1]         ：第１レンズ基板の光軸上の厚み
である。
【００１４】
なお、撮像レンズでは、開口絞りが、第１レンズ基板の物体側基板面に形成されると望ましい。
【００１５】
また、撮像レンズでは、開口絞りが、遮光性膜であり、第１レンズ基板の物体側基板面または像側基板面に形成されており、下記条件式（Ａ２）が満たされると望ましい。
【００１６】
ｄ[ape]＜２５  …  （Ａ２）
ただし、
ｄ[ape]  ：開口絞りの光軸方向の厚み［単位；μｍ］
である。
【００１７】
また、撮像レンズにおいて、第１レンズブロックでは、レンズＬ[LS1m]が第１レンズ基板の像側基板面に連なり、そのレンズＬ[LS1m]の像側レンズ面は、像側凹面であると望ましい。
【００１８】
また、撮像レンズでは、下記条件式（Ａ３）および（Ａ４）が満たされると望ましい。
【００１９】
１．４＜ｆ[all]／Ｙ’＜１．９  …  （Ａ３）
０．１８≦（ｄ[L[LS1o]]＋ＤＴ[LS1o-ape]）／ｒ[L[LS1o]o]≦１．２  …  （Ａ４）
ただし、
ｆ[all]         ：撮像レンズ全体の焦点距離
Ｙ’            ：最大像高
ｄ[L[LS1o]]     ：レンズＬ[LS1o]の光軸上の厚み
ＤＴ[LS1o-ape]  ：第１レンズ基板の物体側基板面から開口絞り面に至るまでの
長さ
ｒ[L[LS1o]o]    ：レンズＬ[LS1o]の物体側レンズ面の近軸曲率半径
である。
【００２０】
また、撮像レンズでは、下記条件式（Ａ５）が満たされると望ましい。
【００２１】
０．０３≦ｄ[LS1]／ＴＬ≦０．３３  …  （Ａ５）
ただし、
ｄ[LS1]  ：第１レンズ基板の光軸上の厚み
ＴＬ     ：撮像レンズにて最も物体側の面から結像面に至るまでの光軸上の長
さ
である。
【００２２】
また、撮像レンズでは、レンズ基板は、２枚の平板型ガラス片の接合で完成しており、平板型ガラス片同士の接合面に、開口絞りが位置すると望ましい。
【００２３】
また、撮像レンズにおいて、第１レンズブロックでは、レンズＬ[LS1m]が第１レンズ基板の像側基板面に連なり、下記条件式（Ａ６）が満たされると望ましい。
【００２４】
Ｃｓ[L[LS1o]o]／Ｃｓ[L[LS1m]m]≦１．３  …  （Ａ６）
ただし、
Ｃｓ[L[LS1o]o]  ：レンズＬ[LS1o]の物体側レンズ面上の有効半径
Ｃｓ[L[LS1m]m]  ：レンズＬ[LS1m]の像側レンズ面上の有効半径
である。
【００２５】
また、撮像レンズにおいて、第１レンズブロックでは、レンズＬ[LS1m]が第１レンズ基板の像側基板面に連なり、下記条件式（Ａ７）が満たされると望ましい。
【００２６】
−１３≦ＨＹ[L[LS1m]m]／ＨＹ[L[LS1o]o]≦−０．０８  …  （Ａ７）
ただし、
ＨＹ[L[LS1m]m]  ：レンズＬ[LS1m]の像側レンズ面上にて、そのレンズ面を通過
する最大像高の主光線と光軸との間の長さ
ＨＹ[L[LS1o]o]  ：レンズＬ[LS1o]の物体側レンズ面上にて、そのレンズ面を通
過する最大像高の主光線と光軸との間の長さ
である。
【００２７】
第３レンズブロックが第２レンズブロックの像側に位置し、その第３レンズブロックでは、第３レンズ基板が含まれ、かつ、レンズＬ[LS3o]が第３レンズ基板の物体側基板面に連なるとともに、レンズＬ[LS3m]が第３レンズ基板の像側基板面に連なると望ましい。
【００２８】
そして、特に望ましくは、以下の通りである。すなわち、レンズＬ[LS3o]は、物体側レンズ面を物体側凹面とするとともに、像側レンズ面を平面にする。レンズＬ[LS3m]は、物体側レンズ面を平面にする。さらに、第３レンズ基板の物体側基板面とレンズＬ[LS3o]の像側レンズ面とが連なり、第３レンズ基板の像側基板面とレンズＬ[LS3m]の物体側レンズ面とが連なる。
【００２９】
また、レンズＬ[LS3o]、第３レンズ基板、およびレンズＬ[LS3m]を含む撮像レンズでは、以下の通りであると望ましい。すなわち、レンズＬ[LS3o]の物体側レンズ面およびレンズＬ[LS3m]の像側レンズ面の少なくとも一方のレンズ面が非球面である一方、レンズＬ[LS3o]の像側レンズ面およびレンズＬ[LS3m]の物体側レンズ面の両方のレンズ面が平面である。さらに、第３レンズ基板の物体側基板面とレンズＬ[LS3o]の像側レンズ面とが連なり、第３レンズ基板の像側基板面とレンズＬ[LS3m]の物体側レンズ面とが連なる。
【００３０】
なお、撮像レンズにおけるレンズでは、空気に触れるレンズ面が非球面であると望ましい。
【００３１】
また、撮像レンズでは、レンズとレンズ基板とは、互いに異なる屈折率を有すると望ましい。
【００３２】
また、撮像レンズでは、レンズが樹脂で形成されると望ましい。
【００３３】
なお、レンズとなる樹脂には、３０ｎｍ以下の粒径である無機微粒子が分散すると望ましい。
【００３４】
また、樹脂は、硬化型樹脂であると望ましい。
【００３５】
また、撮像レンズでは、レンズ基板の物体側基板面および像側基板面に連なるレンズは、レンズ基板に直接接着されると望ましい。
【００３６】
なお、以上のような撮像レンズと、撮像レンズを通過する光を撮像する撮像素子と、を含む撮像装置も本発明といえる。また、この撮像装置を含む携帯端末も本発明といえる。
【００３７】
また、以上のような撮像レンズの製造方法にあって、複数のレンズブロックを並べて含むユニットを、レンズブロックユニットとすると、以下の工程が含まれると望ましい。すなわち、レンズブロックの周縁の少なくとも一部にスペーサを並べ、複数のレンズブロックユニットを、スペーサを介在させてつなげる連結工程と、つながるレンズブロックユニットを、スペーサに沿って切断する切断工程と、を含む撮像レンズの製造方法が望ましい。
【発明の効果】
【００３８】
本発明によると、撮像レンズは、少なくとも１つ以上のレンズブロックを含む。そして、この撮像レンズにおける開口絞りが、テレセントリック性を確保しつつ良好な収差補正機能を有するために適した位置にある。その上、良好な収差補正機能を有することから、撮像レンズの製造も簡易になり、その結果、低コストでその撮像レンズは製造される。
【図面の簡単な説明】
【００３９】
【図１】は、実施例１の撮像レンズの光学断面図である。
【図２】は、実施例２の撮像レンズの光学断面図である。
【図３】は、実施例３の撮像レンズの光学断面図である。
【図４】は、実施例４の撮像レンズの光学断面図である。
【図５】は、実施例５の撮像レンズの光学断面図である。
【図６】は、実施例６の撮像レンズの光学断面図である。
【図７】は、実施例７の撮像レンズの光学断面図である。
【図８】は、実施例８の撮像レンズの光学断面図である。
【図９】は、実施例９の撮像レンズの光学断面図である。
【図１０】は、実施例１０の撮像レンズの光学断面図である。
【図１１】は、実施例１１の撮像レンズの光学断面図である。
【図１２】は、実施例１２の撮像レンズの光学断面図である。
【図１３】は、実施例１３の撮像レンズの光学断面図である。
【図１４】は、実施例１４の撮像レンズの光学断面図である。
【図１５】は、実施例１５の撮像レンズの光学断面図である。
【図１６】は、実施例１６の撮像レンズの光学断面図である。
【図１７】は、実施例１７の撮像レンズの光学断面図である。
【図１８】は、実施例１８の撮像レンズの光学断面図である。
【図１９】は、比較例の撮像レンズの光学断面図である。
【図２０Ａ】は、実施例１の撮像レンズの球面収差図である。
【図２０Ｂ】は、実施例１の撮像レンズの非点収差図である。
【図２０Ｃ】は、実施例１の撮像レンズの歪曲収差図である。
【図２１Ａ】は、実施例２の撮像レンズの球面収差図である。
【図２１Ｂ】は、実施例２の撮像レンズの非点収差図である。
【図２１Ｃ】は、実施例２の撮像レンズの歪曲収差図である。
【図２２Ａ】は、実施例３の撮像レンズの球面収差図である。
【図２２Ｂ】は、実施例３の撮像レンズの非点収差図である。
【図２２Ｃ】は、実施例３の撮像レンズの歪曲収差図である。
【図２３Ａ】は、実施例４の撮像レンズの球面収差図である。
【図２３Ｂ】は、実施例４の撮像レンズの非点収差図である。
【図２３Ｃ】は、実施例４の撮像レンズの歪曲収差図である。
【図２４Ａ】は、実施例５の撮像レンズの球面収差図である。
【図２４Ｂ】は、実施例５の撮像レンズの非点収差図である。
【図２４Ｃ】は、実施例５の撮像レンズの歪曲収差図である。
【図２５Ａ】は、実施例６の撮像レンズの球面収差図である。
【図２５Ｂ】は、実施例６の撮像レンズの非点収差図である。
【図２５Ｃ】は、実施例６の撮像レンズの歪曲収差図である。
【図２６Ａ】は、実施例７の撮像レンズの球面収差図である。
【図２６Ｂ】は、実施例７の撮像レンズの非点収差図である。
【図２６Ｃ】は、実施例７の撮像レンズの歪曲収差図である。
【図２７Ａ】は、実施例８の撮像レンズの球面収差図である。
【図２７Ｂ】は、実施例８の撮像レンズの非点収差図である。
【図２７Ｃ】は、実施例８の撮像レンズの歪曲収差図である。
【図２８Ａ】は、実施例９の撮像レンズの球面収差図である。
【図２８Ｂ】は、実施例９の撮像レンズの非点収差図である。
【図２８Ｃ】は、実施例９の撮像レンズの歪曲収差図である。
【図２９Ａ】は、実施例１０の撮像レンズの球面収差図である。
【図２９Ｂ】は、実施例１０の撮像レンズの非点収差図である。
【図２９Ｃ】は、実施例１０の撮像レンズの歪曲収差図である。
【図３０Ａ】は、実施例１１の撮像レンズの球面収差図である。
【図３０Ｂ】は、実施例１１の撮像レンズの非点収差図である。
【図３０Ｃ】は、実施例１１の撮像レンズの歪曲収差図である。
【図３１Ａ】は、実施例１２の撮像レンズの球面収差図である。
【図３１Ｂ】は、実施例１２の撮像レンズの非点収差図である。
【図３１Ｃ】は、実施例１２の撮像レンズの歪曲収差図である。
【図３２Ａ】は、実施例１３の撮像レンズの球面収差図である。
【図３２Ｂ】は、実施例１３の撮像レンズの非点収差図である。
【図３２Ｃ】は、実施例１３の撮像レンズの歪曲収差図である。
【図３３Ａ】は、実施例１４の撮像レンズの球面収差図である。
【図３３Ｂ】は、実施例１４の撮像レンズの非点収差図である。
【図３３Ｃ】は、実施例１４の撮像レンズの歪曲収差図である。
【図３４Ａ】は、実施例１５の撮像レンズの球面収差図である。
【図３４Ｂ】は、実施例１５の撮像レンズの非点収差図である。
【図３４Ｃ】は、実施例１５の撮像レンズの歪曲収差図である。
【図３５Ａ】は、実施例１６の撮像レンズの球面収差図である。
【図３５Ｂ】は、実施例１６の撮像レンズの非点収差図である。
【図３５Ｃ】は、実施例１６の撮像レンズの歪曲収差図である。
【図３６Ａ】は、実施例１７の撮像レンズの球面収差図である。
【図３６Ｂ】は、実施例１７の撮像レンズの非点収差図である。
【図３６Ｃ】は、実施例１７の撮像レンズの歪曲収差図である。
【図３７Ａ】は、実施例１８の撮像レンズの球面収差図である。
【図３７Ｂ】は、実施例１８の撮像レンズの非点収差図である。
【図３７Ｃ】は、実施例１８の撮像レンズの歪曲収差図である。
【図３８Ａ】は、比較例の撮像レンズの球面収差図である。
【図３８Ｂ】は、比較例の撮像レンズの非点収差図である。
【図３８Ｃ】は、比較例の撮像レンズの歪曲収差図である。
【図３９】は、携帯端末のブロック図である。
【図４０Ａ】は、レンズブロックユニットの断面図である。
【図４０Ｂ】は、撮像レンズの製造工程を示す断面図である。
【図４０Ｃ】は、撮像レンズの断面図である。
【発明を実施するための最良の形態】
【００４０】
［実施の形態１］
［■撮像装置および携帯端末について］
通常、撮像レンズは、画像入力機能付きデジタル機器（例えば携帯端末）への使用に適する。なぜなら、撮像レンズと撮像素子等とを組み合わせて含むデジタル機器は、被写体の映像を光学的に取り込んで電気的な信号として出力する撮像装置になるためである。
【００４１】
撮像装置は、被写体の静止画および動画を撮影するカメラの主たる構成要素（光学装置）であり、例えば、物体（すなわち被写体）側から順に、物体の光学像を形成する撮像レンズと、その撮像レンズにより形成された光学像を電気的な信号に変換する撮像素子と、を含む。
【００４２】
カメラの例としては、デジタルカメラ、ビデオカメラ、監視カメラ、車載カメラ、およびテレビ電話用カメラが挙げられる。また、カメラは、パーソナルコンピュータ、携帯端末（例えば、携帯電話、モバイルコンピュータ等のコンパクトで携帯可能な情報機器端末）、これらの周辺機器（スキャナー、プリンター等）、および、その他のデジタル機器等に内蔵または外付けされてもよい。
【００４３】
これらの例からわかるように、撮像装置を搭載することでカメラが構成されるだけでなく、撮像装置を搭載することでカメラ機能を有する各種機器が構成される。例えば、カメラ付き携帯電話等の画像入力機能付きデジタル機器が構成される。
【００４４】
図３９は、画像入力機能付きデジタル機器の一例である携帯端末ＣＵのブロック図である。この図での携帯端末ＣＵに搭載されている撮像装置ＬＵは、撮像レンズＬＮ、平行平面板ＰＴ、および撮像素子ＳＲを含む。
【００４５】
撮像レンズＬＮは、物体（すなわち被写体）側から順に、物体の光学像(像面)ＩＭを形成する。詳説すると、撮像レンズＬＮは、例えばレンズブロックＢＫ（詳細は後述）を含み、撮像素子ＳＲの受光面ＳＳ上に光学像ＩＭを形成する。
【００４６】
なお、撮像レンズＬＮで形成されるべき光学像ＩＭは、例えば、撮像素子ＳＲの画素ピッチにより決定される所定の遮断周波数特性を有する光学的ローパスフィルター(図３９での平行平面板ＰＴ)を通過する。この通過により、電気的な信号に変換される場合に発生するいわゆる折り返しノイズが最小化されるように、空間周波数特性が調整される。
【００４７】
そして、この空間周波数特性の調整により、色モアレの発生が抑えられる。ただし、解像限界周波数周辺の性能が抑えられれば、光学的ローパスフィルターを用いなくても、ノイズが発生しない。また、ノイズのあまり目立たない表示系（例えば、携帯電話の液晶画面等）を用いて、ユーザーが撮影や鑑賞を行う場合、光学的ローパスフィルターは不要である。
【００４８】
平行平面板ＰＴは、例えば、必要に応じて配置される光学的ローパスフィルター、赤外カットフィルタ等の光学フィルタである（なお、平行平板ＰＴは、撮像素子ＳＲのカバーガラス等に相当することもある）。
【００４９】
撮像素子ＳＲは、撮像レンズＬＮにより受光面ＳＳ上に形成された光学像ＩＭを電気的な信号に変換する。例えば、複数の画素を有するＣＣＤ(Charge Coupled Device)型イメージセンサおよびＣＭＯＳ(Complementary Metal-Oxide Semiconductor)型イメージセンサが撮像素子（固体撮像素子）として挙げられる。なお、撮像レンズＬＮは、撮像素子ＳＲの受光面ＳＳ上に被写体の光学像ＩＭを形成させるように位置する。そのため、撮像レンズＬＮによって形成された光学像ＩＭは、撮像素子ＳＲによって電気的な信号に効率よく変換される。
【００５０】
なお、このような撮像装置ＬＵが画像入力機能付きの携帯端末ＣＵに搭載される場合、通常、携帯端末ＣＵのボディ内部に撮像装置ＬＵが配置される。ただし、携帯端末ＣＵがカメラ機能を発揮する場合には、撮像装置ＬＵが必要に応じた形態になる。例えば、ユニット化した撮像装置ＬＵが、携帯端末ＣＵの本体に対して着脱自在または回動自在になっていてもよい。
【００５１】
ところで、携帯端末ＣＵは、撮像装置ＬＵの他に、信号処理部１、制御部２、メモリ３、操作部４、および表示部５を含む。
【００５２】
信号処理部１は、撮像素子ＳＲで生成された信号に対して、例えば、所定のデジタル画像処理および画像圧縮処理を必要に応じて施す。そして、処理の施された信号は、デジタル映像信号としてメモリ３（半導体メモリ、光ディスク等）に記録されたり、ケーブルを介して赤外線信号に変換され、他の機器に伝送されたりする。
【００５３】
制御部２は、マイクロコンピュータであり、撮影機能、画像再生機能等の機能制御、すなわち、フォーカシングのためのレンズ移動機構の制御等を集中的に行う。例えば、制御部２は、被写体の静止画撮影および動画撮影のうちの少なくとも一方を行うように、撮像装置ＬＵを制御する。
【００５４】
メモリ３は、例えば、撮像素子ＳＲで生成されるとともに信号処理部１にて処理された信号を記憶する。
【００５５】
操作部４は、操作ボタン（例えばレリーズボタン）、操作ダイヤル（例えば撮影モードダイヤル）等の操作部材を含む部分であり、操作者の操作入力した情報を制御部２に伝達する。
【００５６】
表示部５は、液晶モニター等のディスプレイを含む部分であり、撮像素子ＳＲによって変換された画像信号またはメモリ３に記録されている画像情報を用いて画像表示を行う。
【００５７】
［■撮像レンズについて］
ここで、撮像レンズＬＮについて詳説する。撮像レンズＬＮは、複数の光学要素を連ねたレンズブロックＢＫを含む（後述の図１等参照）。そして、このレンズブロック（接合型複合レンズ）ＢＫは、例えば、レンズ基板ＬＳにて対向する２面（物体側基板面および像側基板面）のうちの少なくとも一方の基板面にレンズＬを連ねる（なお、このレンズＬは正パワーまたは負パワーを発揮する）。
【００５８】
なお、“連なる”とは、レンズ基板ＬＳの基板面とレンズＬとが直接接着状態にあること、または、レンズ基板ＬＳの基板面とレンズＬとが別部材を介しながら間接接着状態にあることを意味する。
【００５９】
また、レンズ基板ＬＳは、レンズ基板片ＬＳＰ・ＬＳＰの接合によって完成していてもよい（後述の図４０Ａ〜図４０Ｃ等参照）。すなわち、第１のレンズＬに連なる第１のレンズ基板片ＬＳＰと、第２のレンズＬに連なる第２のレンズ基板片ＬＳＰとが、レンズ基板片ＬＳＰ・ＬＳＰ同士で接着することで、レンズブロックＢＫが完成していてもよい。（すなわち、レンズブロックＢＫは、第１のレンズＬ、第１のレンズ基板片ＬＳＰ、第２のレンズ基板片ＬＳＰ、第２のレンズＬをこの順で並べる）。
【００６０】
［■撮像レンズの製造方法について］
ところで、図４０Ａの断面図に示すような、複数のレンズブロックＢＫを並べて含むレンズブロックユニットＵＴは、例えば、多数のレンズＬを同時に作製できるとともに低コストであるリフロー法またはレプリカ法で製造される（なお、レンズブロックユニットＵＴに含まれるレンズブロックＢＫの数は単数であっても複数であってもよい）。
【００６１】
リフロー法は、ＣＶＤ(Chemical Vapor Deposition)法によって、ガラス基板に、低軟化点ガラスを成膜させる。そして、この低軟化点ガラス成膜は、リソグラフィーおよびドライエッチングによって微細加工される。さらに、加熱されることで、低軟化点ガラス成膜は溶融してレンズ状になる。つまり、このリフロー法では、ガラス基板上に、多数のレンズが同時に作製される。
【００６２】
また、レプリカ法は、レンズウェーハ上に、金型を用いて硬化性の樹脂をレンズ形状にして転写する。これにより、このレプリカ法では、レンズウェーハ上に、多数のレンズが同時に作製される。
【００６３】
そして、これらのような方法によって製造されたレンズブロックユニットＵＴから、撮像レンズＬＮが製造される。この撮像レンズの製造工程の一例を、図４０Ｂの概略断面図で示す。
【００６４】
第１のレンズブロックユニットＵＴ１は、平行平板である第１レンズ基板ＬＳ１と、その一方の平面に接着された複数の第１レンズＬ１と、他方の平面に接着された複数の第２レンズＬ２と、で構成される｛なお、第１レンズ基板ＬＳ１は、前述したように、第１のレンズ基板片ＬＳＰ（平行平板）と第２のレンズ基板片ＬＳＰとの貼り合わせにより構成される｝。
【００６５】
第２のレンズブロックユニットＵＴ２は、平行平板である第２レンズ基板ＬＳ２と、その一方の平面に接着された複数の第３レンズＬ３と、他方の平面に接着された複数の第４レンズＬ４と、で構成される（なお、第２レンズ基板ＬＳ２は、前述したように、第１のレンズ基板片ＬＳＰと第２のレンズ基板片ＬＳＰとの貼り合わせにより構成される）。
【００６６】
格子状のスペーサ部材（スペーサ）Ｂ１は、第１のレンズブロックユニットＵＴ１と第２のレンズブロックユニットＵＴ２との間（具体的には、第１レンズ基板ＬＳ１と第２レンズ基板ＬＳ２との間）に介在し、両レンズブロックユニットＵＴ１・ＵＴ２の間隔を一定に保つ。さらに、スペーサ部材Ｂ１は、基板２と第２のレンズブロックユニット２との間に介在し、基板２とレンズブロックユニットＵＴ２との間隔を一定に保つ（つまり、スペーサ部材Ｂ１は２段格子といえる）。そして、スペーサ部材Ｂ１の格子の穴の部分に、各レンズＬが位置する。
【００６７】
なお、基板Ｂ２は、マイクロレンズアレイを含むウェーハスケールのセンサーチップサイズパッケージ、あるいはセンサーカバーガラスまたはＩＲカットフィルタ等の平行平面板（図３９での平行平面板ＰＴに相当するもの）である。
【００６８】
そして、スペーサ部材Ｂ１が、第１のレンズブロックユニットＵＴ１と第１のレンズブロックユニットＵＴ２との間、および、第２のレンズユニットＵＴ２と第２基板Ｂ２との間に介在することで、レンズ基板ＬＳ同士（第１レンズ基板ＬＳ１と第２レンズ基板ＬＳ２と）が、封止され一体化する。
【００６９】
そして、一体化した第１レンズ基板ＬＳ１、第２レンズ基板ＬＳ２、スペーサ部材Ｂ１、および基板２が、スペーサ部材Ｂ１の格子枠（破線Ｑの位置）に沿って切断されると、図４０Ｃに示すように、２枚玉構成の撮像レンズＬＮが複数得られる。
【００７０】
このように、複数のレンズブロックＢＫ（第１レンズブロックＢＫ１および第２レンズブロックＢＫ２）の組み込まれた部材が切り離されることで、撮像レンズＬＮが製造されると、撮像レンズＬＮ毎のレンズ間隔の調整および組み立てが不要になる。そのため、撮像レンズＬＮの大量生産が可能となる。
【００７１】
しかも、スペーサ部材Ｂ１が格子形状である。そのため、このスペーサ部材Ｂ１が、複数のレンズブロックＢＫの組み込まれた部材から撮像レンズＬＮを切り離す場合の印にもなる。したがって、複数のレンズブロックＢＫの組み込まれた部材から撮像レンズＬＮが簡単に切り離され、手間がかからない。その結果、撮像レンズが安価に大量生産できる。
【００７２】
以上を踏まえると、撮像レンズＬＮの製造方法は、レンズブロックＢＫの周縁の少なくとも一部にスペーサ部材Ｂ１を並べ、複数のレンズブロックユニットＵＴを、スペーサ部材Ｂ１を介在させてつなげる連結工程と、つながるレンズブロックユニットＵＴを、スペーサ部材Ｂ１に沿って切断する切断工程と、を含む。そして、このような製造方法は、安価なレンズ系の量産に向いている。
【００７３】
［■撮像レンズに関するレンズ構成ついて］
次に、全実施例（ＥＸ）である実施例１〜１８および比較例（ＣＥＸ）の撮像レンズＬＮに関するレンズ構成について、図１〜図１８の光学断面図を用いて説明する。尚、実施例１〜４、８、１３、１６、１８はレンズＬ[LS2o]の物体側レンズ面が物体側凸面であり、また、実施例１１、１２は一つのレンズブロックからなり、夫々参考実施例とする。
【００７４】
光学断面等における部材符号については、以下のようになる。
・Ｌｉ    ：レンズＬ
・ＬＳｉ  ：レンズ基板ＬＳ（なお、全実施例のレンズ基板ＬＳは平行平板である）
・ＢＫｉ  ：レンズブロックＢＫ
・ＰＴｉ  ：平行平板（なお、レンズＬを連ねない平行平板に限ってＰＴｉを付す）
・ｓｉ    ：レンズ面および基板面
・ｉ      ：“Ｌｉ”等に付される数字であり、各部材での物体側から像側に至るまで
の順番。
・＊      ：非球面（なお、レンズ基板ＬＳに隣接せず、空気に接するレンズ面は非球
面である）
・ａｐｅ  ：開口絞り
・ＡＸ    ：光軸
【００７５】
なお、物体側から像側に並ぶ順番に合致した数字を付されたレンズＬを別表現する場合がある。具体的には、レンズ基板ＬＳ（第１レンズ基板ＬＳ１〜第４レンズ基板ＬＳ４）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、レンズＬ[LS4o]、レンズＬ[LS4m]、と表現する場合がある。
【００７６】
［●実  施  例  １］〜［●実  施  例  ４］
実施例１〜４の撮像レンズＬＮでは、物体側から像側に向かって並ぶ２つのレンズブロックＢＫ１・ＢＫ２を含むとともに、開口絞りａｐｅを含む。
【００７７】
最も物体側に位置する第１レンズブロックＢＫ１は、第１レンズ基板ＬＳ１を含む。そして、この第１レンズ基板ＬＳ１の物体側基板面には第１レンズＬ１（レンズＬ[LS1o]）が連なり、第１レンズ基板ＬＳ１の像側基板面には第２レンズＬ２(レンズＬ[LS1m]）が連なる。詳説すると、第１レンズＬ１および第２レンズＬ２は、以下のようになる。なお、開口絞りａｐｅは、第１レンズＬ１と第１レンズ基板ＬＳ１との境界面に形成される。
【００７８】
・第１レンズＬ１  ：物体側凸の平凸レンズ（なお、物体側レンズ面は非球面）
・第２レンズＬ２  ：像側凹の平凹レンズ（なお、像側レンズ面は非球面）
【００７９】
第２レンズブロックＢＫ２は、第１レンズブロックＢＫ１の像側に位置し、第２レンズ基板ＬＳ２を含む。そして、この第２レンズ基板ＬＳ２の物体側基板面には第３レンズＬ３（レンズＬ[LS2o]）が連なり、第２レンズ基板ＬＳ２の像側基板面には第４レンズＬ４（レンズＬ[LS2m]）が連なる。詳説すると、第３レンズＬ３および第４レンズＬ４は、以下のようになる。
【００８０】
・第３レンズＬ３  ：物体側凸の平凸レンズ
（なお、この第３レンズＬ３は、物体側レンズ面を、そのレ
ンズ面での面頂点を凸状とするとともに最大像高の主光線
と交わる部分を凹状とする非球面にする）
・第４レンズＬ４  ：像側凹の平凹レンズ（なお、像側レンズ面は非球面）
【００８１】
［●実  施  例  ５］
実施例５の撮像レンズＬＮは、第１レンズブロックＢＫ１、第２レンズブロックＢＫ２、および開口絞りａｐｅを含む。
【００８２】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。
【００８３】
・第１レンズＬ１  ：物体側凸の平凸レンズ（なお、物体側レンズ面は非球面）
・第２レンズＬ２  ：像側凹の平凹レンズ（なお、像側レンズ面は非球面）
【００８４】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【００８５】
・第３レンズＬ３  ：物体側凹の平凹レンズ（なお、物体側レンズ面は非球面）
・第４レンズＬ４  ：像側凹の平凹レンズ（なお、像側レンズ面は非球面）
【００８６】
［●実  施  例  ６］
実施例６の撮像レンズＬＮでは、第１レンズブロックＢＫ１および第２レンズブロックＢＫ２に加えて、第３レンズブロックＢＫ３を含む。そして、この第３レンズブロックＢＫ３は、第２レンズブロックＢＫ２の像側に位置する。また、この撮像レンズＬＮは開口絞りａｐｅを含む。
【００８７】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。
【００８８】
・第１レンズＬ１  ：物体側凸の平凸レンズ（なお、物体側レンズ面は非球面）
・第２レンズＬ２  ：像側凹の平凹レンズ（なお、像側レンズ面は非球面）
【００８９】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【００９０】
・第３レンズＬ３  ：物体側凹の平凹レンズ（なお、物体側レンズ面は非球面）
・第４レンズＬ４  ：像側凸の平凸レンズ（なお、像側レンズ面は非球面）
【００９１】
第３レンズブロックＢＫ３は、第３レンズ基板ＬＳ３を含む。そして、この第３レンズ基板ＬＳ３の物体側基板面には第５レンズＬ５（レンズＬ[LS3o]）が連なり、第３レンズ基板ＬＳ３の像側基板面には第６レンズＬ６（レンズＬ[LS3m]）が連なる。詳説すると、第５レンズＬ５および第６レンズＬ６は、以下のようになる。
【００９２】
・第５レンズＬ５  ：物体側凸の平凸レンズ
（なお、この第５レンズＬ５は、物体側レンズ面を、そのレ
ンズ面での面頂点を凸状とするとともに最大像高の主光線
と交わる部分を凹状とする非球面にする）
・第６レンズＬ６  ：像側凹の平凹レンズ（なお、像側レンズ面は非球面）
【００９３】
［●実  施  例  ７］
実施例７の撮像レンズＬＮでは、第１レンズブロックＢＫ１、第２レンズブロックＢＫ２、第３レンズブロックＢＫ３、および開口絞りａｐｅを含む。
【００９４】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。
【００９５】
・第１レンズＬ１  ：物体側凸の平凸レンズ（なお、物体側レンズ面は非球面）
・第２レンズＬ２  ：像側凹の平凹レンズ（なお、像側レンズ面は非球面）
【００９６】
第２レンズブロックＢＫ２は、第２レンズ基板ＬＳ２を含み、その第２レンズ基板ＬＳ２の物体側基板面にのみレンズＬ｛第３レンズＬ３（レンズＬ[LS2o]）｝を連ねる。詳説すると、第３レンズＬ３は以下のようになる。
【００９７】
・第３レンズＬ３  ：物体側凹の平凹レンズ（なお、物体側レンズ面は非球面）
【００９８】
第３レンズブロックＢＫ１では、第３レンズ基板ＬＳ３の物体側基板面に連なる第４レンズＬ４（レンズＬ[LS3o]）および像側基板面に連なる第５レンズＬ５（レンズＬ[LS3m]）は、以下のようになる。
【００９９】
・第４レンズＬ４  ：物体側凸の平凸レンズ
（なお、この第４レンズＬ４は、物体側レンズ面を、そのレ
ンズ面での面頂点を凸状とするとともに最大像高の主光線
と交わる部分を凹状とする非球面にする）
・第５レンズＬ５  ：像側凹の平凹レンズ（なお、像側レンズ面は非球面）
【０１００】
［●実  施  例  ８］
実施例８の撮像レンズＬＮは、第１レンズブロックＢＫ１、第２レンズブロックＢＫ２、および開口絞りａｐｅを含む。
【０１０１】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。
【０１０２】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１０３】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１０４】
・第３レンズＬ３  ：物体側凸の平凸レンズ
（なお、この第３レンズＬ３は、物体側レンズ面を、そのレ
ンズ面での面頂点を凸状とするとともに最大像高の主光線
と交わる部分を凹状とする非球面にする）
・第４レンズＬ４  ：像側凹の平凹レンズ（なお、像側レンズ面は非球面）
【０１０５】
［●実  施  例  ９］
実施例９の撮像レンズＬＮは、第１レンズブロックＢＫ１、第２レンズブロックＢＫ２、第３レンズブロックＢＫ３、および開口絞りａｐｅを含む。
【０１０６】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。
【０１０７】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１０８】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１０９】
・第３レンズＬ３  ：物体側凹の平凹レンズ（なお、物体側レンズ面は非球面）
・第４レンズＬ４  ：像側凸の平凸レンズ（なお、像側レンズ面は非球面）
【０１１０】
第３レンズブロックＢＫ１では、第３レンズ基板ＬＳ３の物体側基板面に連なる第５レンズＬ５（レンズＬ[LS3o]）および像側基板面に連なる第６レンズＬ６（レンズＬ[LS3m]）は、以下のようになる。
【０１１１】
・第５レンズＬ５  ：物体側凹の平凹レンズ（なお、物体側レンズ面は非球面）
・第６レンズＬ６  ：像側凸の平凸レンズ（なお、像側レンズ面は非球面）
【０１１２】
［●実  施  例  １０］
実施例１０の撮像レンズＬＮでは、第１レンズブロックＢＫ１〜第３レンズブロックＢＫ３に加えて、第４レンズブロックＢＫ４を含む。そして、この第４レンズブロックＢＫ４は、第３レンズブロックＢＫ３の像側に位置する。また、この撮像レンズＬＮは開口絞りａｐｅを含む。
【０１１３】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。
【０１１４】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１１５】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１１６】
・第３レンズＬ３  ：物体側凹の平凹レンズ（なお、物体側レンズ面は非球面）
・第４レンズＬ４  ：像側凸の平凸レンズ
（なお、この第４レンズＬ４は、像側レンズ面を、そのレン
ズ面での面頂点を凸状とするとともに最大像高の主光線に
交わる部分を凹状とする非球面にする）
【０１１７】
第３レンズブロックＢＫ３は、第３レンズ基板ＬＳ３を含み、その第３レンズ基板ＬＳ３の像側基板面にのみレンズＬ｛第５レンズＬ５（レンズＬ[LS3m]）｝を連ねる。詳説すると、第５レンズＬ５は以下のようになる。
・第５レンズＬ５  ：像側凸の平凸レンズ（なお、像側レンズ面は非球面）
【０１１８】
第４レンズブロックＢＫ４は、第４レンズ基板ＬＳ４を含む。そして、この第４レンズ基板ＬＳ４の物体側基板面には第６レンズＬ６（レンズＬ[LS4o]）が連なり、第４レンズ基板ＬＳ４の像側基板面には第７レンズＬ７（レンズＬ[LS4m]）が連なる。詳説すると、第６レンズＬ６および第７レンズＬ７は、以下のようになる。
【０１１９】
・第６レンズＬ６  ：物体側凹の平凹レンズ
（なお、この第６レンズＬ６は、物体側側レンズ面を、その
レンズ面での面頂点を凹状とするとともに最大像高の主光
線に交わる部分を凸状とする非球面にする）
・第７レンズＬ７  ：像側凹の平凹レンズ
（なお、この第７レンズＬ７は、像側レンズ面を、そのレン
ズ面での面頂点を凹状とするとともに最大像高の主光線に
交わる部分を凸状とする非球面にする）
【０１２０】
［●実  施  例  １１］
実施例１１の撮像レンズＬＮは、第１レンズブロックＢＫ１を含み、その第１レンズブロックＢＫ１の像側に平行平板ＰＴ１を含む（もちろん、開口絞りａｐｅも含まれる）。すなわち、この撮像レンズＬＮは、レンズブロックＢＫ（パワーを有する光学素子）としては第１レンズブロックＢＫ１のみを含む。
【０１２１】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。
【０１２２】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１２３】
［●実  施  例  １２］
実施例１２の撮像レンズＬＮは、第１レンズブロックＢＫ１と、その第１レンズブロックＢＫ１の像側に位置する平行平板ＰＴ１とを含む（もちろん、開口絞りａｐｅも含まれる）。すなわち、この撮像レンズＬＮは、レンズブロックＢＫとしては第１レンズブロックＢＫ１のみを含む。
【０１２４】
ただし、第１レンズブロックＢＫ１は、第１レンズ基板ＬＳ１を含み、その第１レンズ基板ＬＳ１の像側基板面にのみレンズＬ｛第１レンズＬ１（レンズＬ[LS1m]）｝を連ねる。詳説すると、第１レンズＬ１は以下のようになる。なお、開口絞りａｐｅは、第１レンズ基板ＬＳ１の物体側基板面に形成される。
【０１２５】
・第１レンズＬ１  ：像側凸の平凸レンズ（なお、像側レンズ面は非球面）
【０１２６】
［●実  施  例  １３］
実施例１３の撮像レンズＬＮは、第１レンズブロックＢＫ１、第２レンズブロックＢＫ２、および開口絞りａｐｅを含む。特に、この撮像レンズＬＮは、実施例１〜１２の撮像レンズＬＮとは異なり、レンズ基板片ＬＳＰ・ＬＳＰ同士を連ねるレンズ基板ＬＳを含む。
【０１２７】
第１レンズブロックＢＫ１は、第１レンズ基板ＬＳ１含む。そして、この第１レンズ基板ＬＳ１は、物体側に位置するレンズ基板片ＬＳＰ１ｏと像側に位置するレンズ基板片ＬＳＰ１ｍとのつながり（接合等）によって形成される。なお、このような第１レンズ基板ＬＳ１であっても、物体側基板面および像側基板面の両基板面（レンズ基板片ＬＳＰ１ｏの物体側基板面およびレンズ基板片ＬＳＰ１ｍの像側基板面）は平面である。したがって、第１レンズ基板ＬＳ１は平行平板である。
【０１２８】
また、第１レンズ基板ＬＳ１の物体側基板面には第１レンズＬ１（レンズＬ[LS1o]）が連なり、第１レンズ基板ＬＳ１の像側基板面には第２レンズＬ２（レンズＬ[LS1m]）が連なる。詳説すると、第１レンズＬ１および第２レンズＬ２は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。
【０１２９】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１３０】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１３１】
・第３レンズＬ３  ：物体側凸の平凸レンズ
（なお、この第３レンズＬ３は、物体側レンズ面を、そのレ
ンズ面での面頂点を凸状とするとともに最大像高の主光線
と交わる部分を凹状とする非球面にする）
・第４レンズＬ４  ：像側凹の平凹レンズ（なお、像側レンズ面は非球面）
【０１３２】
［●実  施  例  １４］
実施例１４の撮像レンズＬＮは、レンズ基板片ＬＳＰ１ｏ・ＬＳＰ１ｍ同士を連ねる第１レンズ基板ＬＳ１を含む。また、この撮像レンズＬＮは、第１レンズブロックＢＫ１、第２レンズブロックＢＫ２、および開口絞りａｐｅを含む。
【０１３３】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。
【０１３４】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１３５】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１３６】
・第３レンズＬ３  ：物体側凹の平凹レンズ（なお、物体側レンズ面は非球面）
・第４レンズＬ４  ：像側凸の平凸レンズ（なお、像側レンズ面は非球面）
【０１３７】
［●実  施  例  １５］
実施例１５の撮像レンズＬＮは、レンズ基板片ＬＳＰ１ｏ・ＬＳＰ１ｍ同士を連ねる第１レンズ基板ＬＳ１を含む。また、この撮像レンズＬＮは、第１レンズブロックＢＫ１、第２レンズブロックＢＫ２、および開口絞りａｐｅを含む。
【０１３８】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。
【０１３９】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１４０】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１４１】
・第３レンズＬ３  ：物体側凹の平凹レンズ（なお、物体側レンズ面は非球面）
・第４レンズＬ４  ：像側凹の平凹レンズ（なお、像側レンズ面は非球面）
【０１４２】
［●実  施  例  １６］
実施例１６の撮像レンズＬＮは、レンズ基板片ＬＳＰ１ｏ・ＬＳＰ１ｍ同士を連ねる第１レンズ基板ＬＳ１を含む。また、この撮像レンズＬＮは、第１レンズブロックＢＫ１、第２レンズブロックＢＫ２、および開口絞りａｐｅを含む。
【０１４３】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。
【０１４４】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１４５】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１４６】
・第３レンズＬ３  ：物体側凸の平凸レンズ（なお、物体側レンズ面は非球面）
・第４レンズＬ４  ：像側凹の平凹レンズ（なお、像側レンズ面は非球面）
【０１４７】
［●実  施  例  １７］
実施例１７の撮像レンズＬＮは、レンズ基板片ＬＳＰ１ｏ・ＬＳＰ１ｍ同士を連ねる第１レンズ基板ＬＳ１を含む。また、この撮像レンズＬＮは、第１レンズブロックＢＫ１、第２レンズブロックＢＫ２、第３レンズブロックＢＫ３、および開口絞りａｐｅを含む。
【０１４８】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。
【０１４９】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１５０】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１５１】
・第３レンズＬ３  ：物体側凹の平凹レンズ（なお、物体側レンズ面は非球面）
・第４レンズＬ４  ：像側凸の平凸レンズ（なお、像側レンズ面は非球面）
【０１５２】
第３レンズブロックＢＫ３では、第３レンズ基板ＬＳ３の物体側基板面に連なる第５レンズＬ５（レンズＬ[LS3o]）および像側基板面に連なる第６レンズＬ６（レンズＬ[LS3m]）は、以下のようになる。
【０１５３】
・第５レンズＬ５  ：物体側凹の平凹レンズ（なお、物体側レンズ面は非球面）
・第６レンズＬ６  ：像側凸の平凸レンズ（なお、像側レンズ面は非球面）
【０１５４】
［●実  施  例  １８］
実施例１８の撮像レンズＬＮは、第１レンズブロックＢＫ、第２レンズブロックＢＫ２、および開口絞りａｐｅを含む（ただし、この撮像レンズＬＮにおける開口絞りａｐｅは、他の実施例の撮像レンズＬＮにおける開口絞りａｐｅの位置とは異なる）。
【０１５５】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS2m]）は、以下のようになる。なお、開口絞りａｐｅは、他の実施例での開口絞りａｐｅとは異なり、第１レンズ基板ＬＳ１の物体側レンズ面に形成される。
【０１５６】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１５７】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１５８】
・第３レンズＬ３  ：物体側凸の平凸レンズ
（なお、この第３レンズＬ３は、物体側レンズ面を、そのレ
ンズ面での面頂点を凸状とするとともに最大像高の主光線
と交わる部分を凹状とする非球面にする）
・第４レンズＬ４  ：像側凹の平凹レンズ（なお、像側レンズ面は非球面）
【０１５９】
［●比  較  例］
比較例の撮像レンズＬＮは、特許第３９２９４７９号公報（前述の特許文献２）における実施例２の撮像レンズＬＮをトレースし、実際寸法にスケールしたものである。
【０１６０】
この撮像レンズＬＮは、第１レンズブロックＢＫ１、第２レンズブロックＢＫ２、平行平板ＰＴ１、および開口絞りａｐｅを含む（なお、平行平板ＰＴ１は、撮像素子ＳＲのカバーガラスである）。
【０１６１】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS2m]）は、以下のようになる。なお、開口絞りａｐｅは、第１レンズＬ１の物体側に配置される。
【０１６２】
・第１レンズＬ１  ：物体側凸の平凸レンズ（なお、物体側レンズ面は非球面）
・第２レンズＬ２  ：像側凹の平凹レンズ（なお、像側レンズ面は非球面）
【０１６３】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。
【０１６４】
・第３レンズＬ３  ：物体側凸の平凸レンズ（なお、物体側レンズ面は非球面）
・第４レンズＬ４  ：像側凹の平凹レンズ（なお、像側レンズ面は非球面）
【０１６５】
［■撮像レンズに関するレンズのデータついて］
次に、実施例（ＥＸ）１〜１８および比較例（ＣＥＸ）の撮像レンズＬＮにおける各種データ、コンストラクションデータ、および非球面データを表に示す。
【０１６６】
なお、各種データにおける符号については、以下のようになる。
・ｆ      ：焦点距離［単位；ｍｍ］
・Ｆｎｏ  ：Ｆナンバー
・ＢＦ    ：バックフォーカス（ただし、空気換算長。また、撮像レンズＬＮの全長で
ある光学全長に含まれるバックフォーカスも同様である)。
・Ｙ’    ：像高［単位；ｍｍ］（ただし、歪曲無しでの値）
・ω      ：半画角［単位；°］（ただし、画角は歪曲込みの値）
・ＴＬ    ：撮像レンズＬＮの全長［単位；ｍｍ］
【０１６７】
ただし、レンズ基板ＬＳの物体側基板面に連なるレンズＬの焦点距離は、そのレンズＬの物体側が空気で満たされる一方、像側がレンズ基板ＬＳの媒質で満たされるという状態のもとで求められる。また、レンズ基板ＬＳの像側基板面に連なるレンズの焦点距離は、そのレンズＬの物体側がレンズ基板ＬＳの媒質で満たされる一方、像側が空気で満たされるという状態のもとで求められる。
【０１６８】
また、接合されていないレンズＬの物体側レンズ面の焦点距離は、そのレンズＬの物体側が空気で満たされる一方、像側がレンズ基板ＬＳの媒質で満たされるという状態のもとで求められる。もちろん、接合されていないレンズＬの像側レンズ面の焦点距離は、そのレンズＬの物体側がレンズ基板ＬＳの媒質で満たされる一方、像側が空気で満たされるという状態のもとで求められる。
【０１６９】
コンストラクションデータにおける符号については、以下のようになる。
・ｓｉ    ：数字は物体側から像側に向かうレンズ面および基板面の順番
・ｉ      ：“ｓｉ”等に付される数字であり、物体側から像側に至るまでの順番。
・＊      ：非球面
・ａｐｅ  ：開口絞り
・ｒ      ：レンズ面または基板面の曲率半径［単位；ｍｍ］
・ｄ      ：軸上面間隔［単位；ｍｍ］
・Ｎｄ    ：ｄ線（波長５８７．５６ｎｍ）に対して媒質が有する屈折率
・νｄ    ：ｄ線に対して媒質が有するアッベ数
【０１７０】
非球面データは、非球面における面頂点を原点とするローカルな直交座標系（x，y，z）を用いた以下の式（ＡＳ）で定義される。そして、以下のKおよびA〜Iが、面（ｓｉ）毎に示される（ただし、表記のないA〜Iはゼロである）。なお、すべてのデータに関して、“Ｅ−ｎ”＝“×１０-n”である。
【０１７１】
z＝（c・ρ2）/[1+√(1-(1+K)・c・ρ2)] ＋A・ρ4＋B・ρ6＋C・ρ8
＋D・ρ10＋E・ρ12＋F・ρ14＋G・ρ16＋H・ρ18＋I・ρ20    …  （ＡＳ）
ただし、
ρ    ：z軸(光軸ＡＸ)に対して垂直な方向の高さ(ρ2=ｘ2+ｙ2)
z     ：高さρの位置での光軸ＡＸ方向のサグ量(面頂点基準)
c     ：面頂点での曲率(曲率半径ｒの逆数)
K     ：円錐定数
A〜I  ：4次，6次，8次，10次，12次，14次，16次，18次，20次の非球面係数
である。
【０１７２】
［●実  施  例  １］
【表１】
0004513924.tif 000002
【０１７３】
【表２】
0004513924.tif 000003
【０１７４】
［●実  施  例  ２］
【表３】
0004513924.tif 000004
【０１７５】
【表４】
0004513924.tif 000005
【０１７６】
［●実  施  例  ３］
【表５】
0004513924.tif 000006
【０１７７】
【表６】
0004513924.tif 000007
【０１７８】
［●実  施  例  ４］
【表７】
0004513924.tif 000008
【０１７９】
【表８】
0004513924.tif 000009
【０１８０】
［●実  施  例  ５］
【表９】
0004513924.tif 000010
【０１８１】
【表１０】
0004513924.tif 000011
【０１８２】
［●実  施  例  ６］
【表１１】
0004513924.tif 000012
【０１８３】
【表１２】
0004513924.tif 000013
【０１８４】
［●実  施  例  ７］
【表１３】
0004513924.tif 000014
【０１８５】
【表１４】
0004513924.tif 000015
【０１８６】
［●実  施  例  ８］
【表１５】
0004513924.tif 000016
【０１８７】
【表１６】
0004513924.tif 000017
【０１８８】
［●実  施  例  ９］
【表１７】
0004513924.tif 000018
【０１８９】
【表１８】
0004513924.tif 000019
【０１９０】
［●実  施  例  １０］
【表１９】
0004513924.tif 000020
【０１９１】
【表２０】
0004513924.tif 000021
【０１９２】
［●実  施  例  １１］
【表２１】
0004513924.tif 000022
【０１９３】
【表２２】
0004513924.tif 000023
【０１９４】
［●実  施  例  １２］
【表２３】
0004513924.tif 000024
【０１９５】
【表２４】
0004513924.tif 000025
【０１９６】
［●実  施  例  １３］
【表２５】
0004513924.tif 000026
【０１９７】
【表２６】
0004513924.tif 000027
【０１９８】
［●実  施  例  １４］
【表２７】
0004513924.tif 000028
【０１９９】
【表２８】
0004513924.tif 000029
【０２００】
［●実  施  例  １５］
【表２９】
0004513924.tif 000030
【０２０１】
【表３０】
0004513924.tif 000031
【０２０２】
［●実  施  例  １６］
【表３１】
0004513924.tif 000032
【０２０３】
【表３２】
0004513924.tif 000033
【０２０４】
［●実  施  例  １７］
【表３３】
0004513924.tif 000034
【０２０５】
【表３４】
0004513924.tif 000035
【０２０６】
［●実  施  例  １８］
【表３５】
0004513924.tif 000036
【０２０７】
【表３６】
0004513924.tif 000037
【０２０８】
［●比  較  例］
【表３７】
0004513924.tif 000038
【０２０９】
【表３８】
0004513924.tif 000039
【０２１０】
［■撮像レンズに関する収差ついて］
実施例（ＥＸ）１〜１８および比較例（ＣＥＸ）の撮像レンズＬＮに関する収差は、図２０Ａ〜図３８Ｃに示される。収差図では、球面収差（LONGITUDINAL SPHERICAL ABER.）、非点収差（ASTIGMATIC FIELD CURVES）、および歪曲収差（DISTORTION）が示される。
【０２１１】
球面収差図は、ｄ線（波長５８７．５６ｎｍ)に対する球面収差量、Ｃ線（波長６５６．２８ｎｍ）に対する球面収差量、ｇ線（波長４３５．８４ｎｍ）に対する球面収差量を、それぞれ近軸像面からの光軸ＡＸ方向のズレ量［単位；ｍｍ］で示す。また、球面収差図における縦軸は、瞳への入射高さをその最大高さで規格化した値（すなわち、相対瞳高さ）を示す。なお、ｄ線、ｃ線、ｇ線を示す線種は各図を参照するものとする。
【０２１２】
非点収差図は、ｄ線に対するタンジェンシャル像面、および、ｄ線に対するサジタル像面を、近軸像面からの光軸ＡＸ方向のズレ量［単位；ｍｍ］で示す。なお、“Ｔ”と付した線がタンジェンシャル像面に対応し、“Ｓ”と付した線がサジタル像面に対応している。また、非点収差図における縦軸は像高(ＩＭＧ ＨＴ)である［単位；ｍｍ］。
【０２１３】
歪曲収差図は、横軸がｄ線に対する歪曲［単位；％］を示し、縦軸が像高［単位；ｍｍ］を示す。なお、像高は結像面における最大像高Ｙ’(撮像素子ＳＲの受光面ＳＳの対角長の半分)に相当する。
【０２１４】
［■撮像レンズの詳細について］
以上の撮像レンズＬＮの詳細は以下の通りである。
【０２１５】
撮像レンズＬＮは、レンズブロック（ウェハスケールレンズ）ＢＫを含む。そして、このレンズブロックＢＫは、前述した通り、安価に大量生産される。この生産にて、材料の選択肢を増やすべく、例えば、加工しやすい材料または安価な材料を選択可能にすべく（簡易かつ低コストな撮像レンズＬＮを製造すべく）、レンズブロックＢＫは、材質を異ならせたレンズＬとレンズ基板ＬＳとを含む。
【０２１６】
また、このようなレンズブロックＢＫも、従来のガラスまたは樹脂で形成されるノーマルなレンズ系（ノーマルレンズ）と同等の光学性能を有さなくてはならない。通常、ノーマルレンズにて、像面に対するテレセントリック性が考慮されると、開口絞りが最も物体側に位置すると望ましい。
【０２１７】
しかしながら、開口絞りが最も物体側に位置すると、その開口絞りを基準にして物体側に位置するレンズ面と像側に位置するレンズ面との間で、光学的な対称性が成立しない（例えば、ノーマルレンズの光学全長の中間付近に開口絞りが位置し、その開口絞りを基準にして、物体側に位置するレンズ面が物体側凸面で、像側に位置するレンズ面が像側凸面だと、対称性が成立したといえる）。
【０２１８】
そして、このような対称性が成立しない場合、ノーマルレンズにおける収差性能は劣化する（要は、開口絞りの前後で、収差が補正されにくい）。この解決策として、例えば特開２００６−９１６３８号公報および特開２００６−９８５０４号公報では、最も物体側のレンズを物体側凸のメニスカスレンズにし、さらに、そのメニスカスレンズにおける物体側レンズ面の曲率半径を比較的小さくしたノーマルレンズが開示される。
【０２１９】
このノーマルレンズは、広角レンズ系でありながら、中絞りであっても、開口絞りを物体側に位置させる。そのため、このノーマルレンズは、像面に対するテレセントリック性を確保しつつ、開口絞り位置を基準にした物体側および像側の光学的な対称性も確保する。
【０２２０】
しかしながら、レンズブロックＢＫの場合、特に平行平板であるレンズ基板ＬＳを含むレンズブロックＢＫの場合、加工の制限上、レンズ基板ＬＳは一定の厚みを有さなくてはならず、十分に薄くはならない。そのため、このレンズ基板ＬＳを含むレンズブロックＢＫは、レンズ基板ＬＳの厚みよりも薄いメニスカス形状にはなり得ない。
【０２２１】
そのため、このレンズブロックＢＫにて、レンズ基板ＬＳの物体側のレンズＬ（例えば第１レンズＬ１）よりもさらに物体側、または、レンズ基板ＬＳの像側のレンズＬ（例えば第２レンズＬ２）よりもさらに像側に、開口絞りａｐｅが位置してしまうと、レンズブロックＢＫの光学性能は、ノーマルレンズに比べて劣る。
【０２２２】
例えば、第１レンズＬ１の物体側に開口絞りａｐｅが位置することで生じる光学性能の劣化の一例として、非点収差が挙げられる。非点収差は、レンズ面への入射角（レンズ面法線基準）と射出角との比が、像高毎で異なることで生じる。特に、非点収差は、以下の式（ＡＦＣ）にしたがって、主に周辺（光軸外）での非点隔差の増大に起因して悪化する｛なお、式（ＡＦＣ）は、比較的厚いレンズに関する一般的な式である｝。
【０２２３】
(ｄ／２ｎ)・(１−ｃｏｓ2Ｕ／ｃｏｓ2Ｕ’)・(ｃｏｓＵ／ｃｏｓＵ’)…（ＡＦＣ）
ただし、
ｄ    ：レンズの厚み
ｎ    ：レンズの屈折率
Ｕ    ：レンズへの入射角（ただし、レンズ面法線基準）
Ｕ’  ：レンズからの射出角
である。
【０２２４】
また、第１レンズＬ１の物体側に開口絞りａｐｅが位置すると、前述のような光学性能の劣化が起きる他に、撮像レンズＬＮの軸外偏心誤差感度が大きくなる。軸外偏心誤差感度とは、撮像レンズＬＮの製造誤差感度の一つであり、撮像レンズＬＮにて、シフト偏心が生じた場合に結像面で生じる片ボケ量のことである。
【０２２５】
そして、このような軸外偏心誤差感度の増大は、レンズＬの曲率中心と開口絞りａｐｅとの間隔が比較的長いことに起因する。通常、レンズＬの曲率中心と開口絞りａｐｅとの間隔が比較的短ければ、開口絞りａｐｅを通過する光は、レンズ面に対して比較的に垂直で入射するので、偏心による光線軌跡のズレが減少し、光学性能に影響を与えにくい。
【０２２６】
しかしながら、レンズＬの曲率中心と開口絞りａｐｅとの間隔が比較的長いと、開口絞りａｐｅを通過する光は、レンズ面に対して垂直に入射しづらくなり、偏心による光線軌跡のズレが増加し、光学性能に影響を与えてしまうためである。
【０２２７】
また、第２レンズＬ２の像側に開口絞りａｐｅが位置すると、像面に対するテレセントリック性が悪くなる。すなわち、コンパクトさを維持したまま、開口絞りを像側に配置すると、性能が低下する。
【０２２８】
例えば、焦点距離と同等な光学全長を有するとともに、焦点距離と像高の２倍とを同程度にする撮像レンズＬＮがあるとする。そして、この撮像レンズＬＮにて、開口絞りａｐｅが光学系の中心にあると、最大画角（最大像高）の光線は、開口絞りａｐｅの位置から像面へ向かうときに必ず画角以上の入射角で撮像素子ＳＲの受光面に入射する。
【０２２９】
これによって、像面への入射角度が大きくなる。さらに、この入射角度は、撮像素子ＳＲの受光面前のレンズアレイの入射制限角度を超えてしまうため、光線がケラレて周辺照度不足が発生する。
【０２３０】
以上を踏まえると、開口絞りａｐｅが第１レンズブロックＢＫ１の内部（特に、第１レンズ基板ＬＳ１内部）に位置すると、像面に対するテレセントリック性を確保しつつ良好な収差補正機能を有する撮像レンズＬＮが実現する。そして、このような撮像レンズＬＮの実現に要する条件の１つが、以下の条件式（Ａ１）である。この条件式（Ａ１）は、開口絞りａｐｅの位置を規定する。
【０２３１】
０≦ＤＴ[LS1o-ape]／ｄ[LS1]≦１  …  （Ａ１）
ただし、
ＤＴ[LS1o-ape]  ：第１レンズ基板ＬＳ１の物体側基板面から開口絞り面に至る
までの長さ（ただし、第１レンズ基板ＬＳ１の物体側基板面
から像側での長さを“正”とし、物体側での長さを“負”と
する）
ｄ[LS1]         ：第１レンズ基板ＬＳ１の光軸上の厚み
である。
【０２３２】
条件式（Ａ１）の値が下限値を下回る場合、開口絞りａｐｅは第１レンズ基板ＬＳ１の物体側基板面よりも物体側に位置することになり、レンズＬ[LS1o]の曲率中心と開口絞りａｐｅとの間隔が比較的長くなる。そのため、撮像レンズＬＮの軸外偏心誤差感度が高くなり、レンズＬの面精度の要求が極めて高くなる。そのため、撮像レンズＬＮの製造が難しくなる。
【０２３３】
一方、条件式（Ａ１）の値が上限値を上回る場合、開口絞りａｐｅは第１レンズ基板ＬＳ１の像側基板面よりも像側に位置することになる。つまり、開口絞りａｐｅの位置が過剰に像側に近づく。そのため、像面に対するテレセントリック性が低下する。
【０２３４】
以上から、条件式（Ａ１）の値が下限値から上限値までの範囲に収まれば、比較的簡易かつ安価に撮像レンズＬＮが製造され、さらに、製造された撮像レンズＬＮは、比較的コンパクトでありながら高性能（例えば高い収差補正機能）を有する。
【０２３５】
このような条件式（Ａ１）を満たす一例としては、条件式（Ａ１）の値がゼロとなる場合（下限値と一致する場合）が挙げられる。この場合、開口絞りａｐｅが第１レンズ基板ＬＳ１の物体側基板面に形成される。そして、このようになっていれば、比較的開口絞りａｐｅの位置が物体側に位置することになり、像面に対するテレセントリック性が向上する
【０２３６】
さらに、条件式（Ａ１）について詳説すると、その条件式（Ａ１）を満たす撮像レンズＬＮは、回折面を含むことなく、像高に対する光学全長を短縮し、良好に収差を補正する。また、この撮像レンズＬＮがレンズブロックＢＫを２つ以上含んでいたとしても、そのレンズブロックＢＫは製造誤差感度を抑えたレンズ基板ＬＳを含む。したがって、このようなレンズブロックＢＫを２つ含む撮像レンズＬＮであっても、簡易かつ低コストで製造され、さらに、コンパクトで高性能を有する。
【０２３７】
また、以上のような撮像レンズＬＮが撮像装置ＬＵに搭載されると、その撮像装置ＬＵも、低コストで製造され、さらに、コンパクトで高性能を有する。もちろん、このような撮像装置ＬＵが携帯端末ＣＵに搭載されても同様である。すなわち、薄型、軽量、およびコンパクトでありながら、低コストで高性能かつ高機能を有する携帯端末ＣＵが実現する。
【０２３８】
なお、このような撮像レンズＬＮに関する効果は、以下の条件式（Ａ１ａ）であっても奏ずる。
０＜ＤＴ[LS1o-ape]／ｄ[LS1]≦１  …  （Ａ１ａ）
【０２３９】
続いて、説明してきた種々の効果をバランス良く得るとともに、さらに、高度な光学性能等を達成するための条件等を以下に説明する。
【０２４０】
例えば、条件式（Ａ１）を満たす開口絞りａｐｅを含む撮像レンズＬＮは、少なくとも１つ以上のレンズブロックＢＫを含めばよい。レンズブロックＢＫが単数であれば撮像レンズＬＮはコンパクトになり、レンズブロックＢＫが複数であれば、撮像レンズＬＮは高い収差補正機能を有するためである。
【０２４１】
また、撮像レンズＬＮは、図４０Ｂに示すように、スペーサ部材Ｂ１を介して、レンズ基板ＬＳに多数個成型されたレンズＬを並べたレンズブロックユニットＵＴ同士、さらには、センサーカバーになり得る基板Ｂ２をつなげた後、スペーサ部材Ｂ１に沿う切断で製造される。
【０２４２】
そのため、レンズ基板ＬＳが平行平板であると、撮像レンズＬＮの製造過程で、レンズ基板ＬＳに対する加工は簡易または不要になるだけでなく、レンズＬが基板平面に形成されるため安定する。そのため、平行平板のレンズ基板ＬＳだと、撮像レンズＬＮの製造負担が軽減する。
【０２４３】
さらに、レンズ基板ＬＳが平行平板であると、基板面とレンズＬとの境界面はパワーを有さない。そのため、例えば、レンズ基板ＬＳの基板面における面精度が、撮像レンズＬＮにおける像面へのピント位置に影響を与えにくい。したがって、撮像レンズＬＮは、高性能を有する。
【０２４４】
また、開口絞りａｐｅは、遮光性膜であると望ましい。このような膜状の開口絞りａｐｅであれば、例えば第１レンズ基板ＬＳ１の基板面（物体側基板面または像側基板面）に塗布または真空蒸着で形成できる。
【０２４５】
その上、塗布または蒸着によって開口絞りａｐｅが形成されると、その開口絞りａｐｅは比較的薄くなる。そして、特に、以下の条件式（Ａ２）が満たされると望ましい。
【０２４６】
ｄ[ape]＜２５  …  （Ａ２）
ただし、
ｄ[ape]  ：開口絞りの光軸方向の厚み［単位；μｍ］
である。
【０２４７】
すなわち、開口絞りａｐｅの光軸方向の厚みが２５μｍより薄ければよい（望ましくは、開口絞りａｐｅの光軸方向の厚みは１０μｍより薄ければよい；ｄ[ape]≦１０μｍ）。このようになっていれば、開口絞りａｐｅのエッジ付近での反射が起きにくくなる。そのため、その反射に起因する迷光が撮像レンズＬＮにて発生しない。なお、全実施例の撮像レンズＬＮにて、開口絞りａｐｅは、以下の条件式（Ａ２）を満たす厚みを有する。
【０２４８】
また、第１レンズブロックＢＫ１では、レンズＬ[LS1o]が第１レンズ基板ＬＳ１の物体側基板面に連なる。そして、このレンズＬ[LS1o]の物体側レンズ面は、物体側凸面であると望ましい。
【０２４９】
このようになっていると、レンズＬ[LS1o]の曲率中心は、そのレンズＬ[LS1o]の物体側レンズ面よりも像側に位置し、第１レンズブロックＢ１に近づく。そして、条件式（Ａ１）を満たす撮像レンズＬＮでは、開口絞りａｐｅは、第１レンズ基板ＬＳ１物体側基板面から像側基板面に至るまでの間に位置する。すると、曲率中心と開口絞りａｐｅとの間隔は比較的短くなる（その上、開口絞り位置を基準にした物体側および像側の光学的な対称性も確保されやすくなる）。そのため、撮像レンズＬＮの軸外偏心誤差感度が抑えられ、レンズの面精度の要求も抑えられる。その結果、撮像レンズＬＮの製造が簡易になる。
【０２５０】
また、第１レンズブロックＢＫ１では、レンズＬ[LS1m]が第１レンズ基板ＬＳ１の像側基板面に連なる。そして、このレンズＬ[LS1m]の像側レンズ面は、像側凹面であると望ましい。
【０２５１】
通常、単焦点で２つのレンズブロックＢＫを含む撮像レンズＬＮにて、例えば、レンズＬ[LS1o]の物体側レンズ面が物体側凸面であると、その物体側凸面のパワーは強くなる。すると、レンズＬ[LS1o]よりも像側に位置するレンズＬ[LS1m]が像側レンズ面を像側凹面にしていると、収差（例えば球面収差）が効率よく補正される。
【０２５２】
なお、レンズＬ[LS1o]の物体側レンズ面が物体側凸面で、レンズＬ[LS1m]の像側レンズ面が像側凹面であると、開口絞りａｐｅを境にしたレンズブロックＢＫ１での光学的対称性が成立しにくい。しかしながら、レンズＬ[LS1m]の焦点距離がレンズＬ[LS1o]の焦点距離よりも長ければ（すなわち、レンズＬ[LS1m]の像側レンズ面の曲率が比較的弱ければ）、レンズＬ[LS1m]の像側レンズ面のパワーは過剰に強いとはいえない。そのため、撮像レンズＬＮは、光学的対称性の不成立の影響を受けにくい（要は、諸収差が一定以上の程度で補正される）。
【０２５３】
さらに、このようなレンズＬ[LS1m]を有していても、開口絞りａｐｅを第１レンズ基板ＬＳ１の物体側基板面に位置させた第１レンズブロックＢＫ１を含む撮像レンズＬＮは、軸外偏心誤差感度を小さく抑えられる。そのため、この撮像レンズＬＮは、簡易かつ低コストで製造され、さらに、コンパクトで高性能を有する。
【０２５４】
ところで、撮像レンズＬＮ全体（全系）の焦点距離と撮像レンズＬＮの全長とが同等程度であると、撮像レンズＬＮがコンパクトといえる。例えば、光学系の合成焦点距離ｆと光学全長ＴＬとの比が、“０．６＜ｆ／ＴＬ＜１．２”の範囲だと、撮像レンズＬＮはコンパクトといえる（なお、光学全長とは、撮像レンズＬＮにて最も物体側面から撮像素子の受光面までの距離のことである）。逆に、ｆ／ＴＬの値が０．６以下であると、撮像レンズＬＮはコンパクトにはなり得ず、ｆ／ＴＬの値が１．２以上であると、テレセントリック性が悪くなり、さらに収差補正機能も劣化する。
【０２５５】
そして、このようなコンパクトな撮像レンズＬＮが製造されるために、特に、以下の条件式（Ａ３）の範囲の画角にて、撮像レンズＬＮが製造される必要な条件として、条件式（Ａ４）が一例として挙げられる。この条件式（Ａ４）は、レンズＬ[LS1o]の物体側レンズ面の面頂点から開口絞りａｐｅに至るまでの長さと、レンズＬ[LS1o]の物体側レンズ面の曲率半径との比を規定する。
【０２５６】
１．４＜ｆ[all]／Ｙ’＜１．９  …  （Ａ３）
ただし、
ｆ[all]         ：撮像レンズＬＮ全体の焦点距離
Ｙ’            ：最大像高（撮像素子ＳＲの受光面における対角長の半分）
である。
【０２５７】
０．１８≦（ｄ[L[LS1o]]＋ＤＴ[LS1o-ape]）／ｒ[L[LS1o]o]≦１．２  …  （Ａ４）
ただし、
ｄ[L[LS1o]]     ：レンズＬ[LS1o]の光軸上の厚み
ＤＴ[LS1o-ape]  ：第１レンズ基板ＬＳ１の物体側基板面から開口絞り面に至る
までの長さ
ｒ[L[LS1o]o]    ：レンズＬ[LS1o]の物体側レンズ面の近軸曲率半径
【０２５８】
条件式（Ａ４）の値が下限値を下回る場合、例えば、レンズＬ[LS1o]の曲率中心は比較的長くなり、曲率中心がレンズＬ[LS1o]の物体側面から大きく離れる。そのため、レンズＬ[LS1o]の曲率中心と開口絞りａｐｅとの間隔が比較的長くなり、撮像レンズＬＮの軸外偏心誤差感度が高くなる。その結果、撮像レンズＬＮの製造が難しくなる。
【０２５９】
一方、条件式（Ａ４）の値が上限値を上回る場合、例えば、開口絞りａｐｅはレンズＬ[LS1o]の物体側レンズ面から比較的大きく離れる。そのため、開口絞りａｐｅの位置が過剰に像側に近づき像面に対するテレセントリック性が低下する。
【０２６０】
以上から、条件式（Ａ４）の値が下限値から上限値までの範囲に収まれば、条件式（Ａ１）が満たされる場合と同様に、撮像レンズＬＮは、簡易かつ低コストで製造され、さらに、コンパクトで高性能を有する。
【０２６１】
なお、このような撮像レンズＬＮに関する効果は、以下の条件式（Ａ４ａ）または（Ａ４ｂ）であっても奏ずる。詳説すると、条件式の値は１に近いことが好ましいが、現実的な値としては以下のような範囲であれば、製造難易度は大きく悪化しない。条件式の上限を超えると樹脂レンズ部の厚みがましてしまい、硬化させるのが困難となり、均質に硬化されない媒質においては屈折率分布ができてしまい、迷光を生み画像性能を劣化させる。条件式の下限値を超えるとレンズ部の厚みが薄くなりレンズ部にパワーを持たせるのが困難となり、収差性能（像面湾曲）が劣化する。
０．２５≦（ｄ[L[LS1o]]＋ＤＴ[LS1o-ape]）／ｒ[L[LS1o]o]≦１．２  …（Ａ４ａ）
０．２≦（ｄ[L[LS1o]]＋ＤＴ[LS1o-ape]）／ｒ[L[LS1o]o]≦０．８  …  （Ａ４ｂ）
【０２６２】
また、条件式（Ａ４）、（Ａ４ａ）または（Ａ４ｂ）を満たす場合の撮像レンズＬＮに関する効果は、条件式（Ａ３ａ）または（Ａ３ｂ）であっても奏ずる。
１．４＜ｆ[all]／Ｙ’＜２．１  …  （Ａ３ａ）
１．８＜ｆ[all]／Ｙ’＜２．１  …  （Ａ３ｂ）
【０２６３】
また、撮像レンズＬＮでは、以下の条件式（Ａ５）が満たされると望ましい。この条件式（Ａ５）は、光学全長で第１レンズ基板ＬＳの厚みを規定する。
【０２６４】
０．０３≦ｄ[LS1]／≦０．３３  …  （Ａ５）
ただし、
ｄ[LS1]  ：第１レンズ基板ＬＳ１の光軸上の厚み
ＴＬ     ：撮像レンズＬＮにて最も物体側の面から結像面に至るまでの光軸上
の長さ
である。
【０２６５】
条件式（Ａ５）の値が下限値を下回る場合、第１レンズ基板ＬＳ１の厚みが薄くなりすぎてしまい、第１レンズブロックＢＫ１の製造が困難になる。また、この第１レンズ基板ＬＳ１が市販ガラス平板を削ることで薄くなる場合、削られる量に相当する材料費が無駄になる。また薄くなりすぎた第１レンズ基板ＬＳ１に起因して、高価な樹脂でレンズＬ[LS1o]およびレンズＬ[LS1m]が厚みを増さなくてはならない場合、第１レンズブロックＢＫ１（ひいては撮像レンズＬＮ）のコストが増加する。
【０２６６】
一方、条件式（Ａ５）の値が上限値を上回る場合、第１レンズ基板ＬＳ１の厚みが厚くなりすぎてしまい、ひいては第１レンズブロックＢＫ１の厚みが厚くなる。そして、その厚みに起因した非点隔差が増大する。
【０２６７】
また、３枚以下のコンパクトな光学系では、特開２００６-９１６３８号公報および特開２００６-９８５０４号公報のように、最も物体側のレンズが物体側凸メニスカスレンズになっていると望ましい。しかし、このように第１レンズ基板ＬＳ１が厚くなりすぎると、第１レンズブロックＢＫ１の形状が、薄いメニスカス形状と大きく異なる。そのため、撮像レンズＬＮにおける収差補正のための設計に制限が加わる（要は、このような撮像レンズＬＮは、低い収差補正性能を有する）。その上、このような第１レンズブロックＢＫ１を含む撮像レンズＬＮは、広角レンズ系として不向きになる。
【０２６８】
以上から、条件式（Ａ５）の値が下限値から上限値までの範囲に収まれば、撮像レンズＬＮは、低コストで製造され、さらに、コンパクトで高性能を有する。特に、条件式（Ａ５）の条件範囲のなかでも、以下の条件範囲を定めた条件式（Ａ５ａ）、または（Ａ５ｂ）が満たされると望ましい。
０．０６５≦ｄ[LS1]／ＴＬ≦０．１９  …  （Ａ５ａ）
０．０９≦ｄ[LS1]／ＴＬ≦０．１９    …  （Ａ５ｂ）
【０２６９】
このようになっていると、より一層、撮像レンズＬＮは、低コストで製造され、さらに、コンパクトで高性能を有する。また、市販されているガラス基板が、第１レンズ基板ＬＳ１として用いられると、撮像レンズＬＮは簡易に製造される（要は、レンズ基板ＬＳがガラスで形成されると望ましい）。
【０２７０】
なお、第１レンズ基板ＬＳ１がレンズ基板片ＬＳＰ（ＬＳＰ１ｏ・ＬＳＰ１ｍ）の接合によって形成されている場合、接合されたレンズ基板片ＬＳＰの厚みが、第１レンズ基板ＬＳ１の厚みになる。
【０２７１】
また、レンズ基板片ＬＳＰが平板型ガラス片であると、第１レンズ基板ＬＳ１は、２枚の平板型ガラス片の接合で完成する。そして、このような第１レンズ基板ＬＳ１であれば、レンズ基板片同士ＬＳＰ・ＬＳＰの接合面に、開口絞りａｐｅが位置してもよい（なお、この開口絞りａｐｅの厚みも２５μｍ未満、望ましくは１０μｍ未満であるよい）。
【０２７２】
例えば、接合面となるレンズ基板片ＬＳＰの一面に開口絞りａｐｅがプリントされ、そのプリント面に対して、別のレンズ基板片ＬＳＰの一面が貼り付けば、簡易に開口絞りａｐｅがレンズ基板ＬＳ内に形成される。そして、このようなレンズ基板ＬＳが第１レンズ基板ＬＳ１であれば、条件式（Ａ１）の値は、その式の下限値から上限値までの間の値となる。したがって、撮像レンズＬＮは、簡易かつ低コストで製造され、さらに、コンパクトで高性能を有する。
【０２７３】
なお、開口絞りａｐｅの位置は、レンズＬの有効半径に影響する。そこで、レンズＬの有効半径を用いた条件式（Ａ６）を一例として以下に示す。この条件式（Ａ６）は、レンズＬ[LS1o]の物体側レンズ面上の有効半径と、レンズＬ[LS1m]の像側レンズ面上の有効半径との比である。
【０２７４】
Ｃｓ[L[LS1o]o]／Ｃｓ[L[LS1m]m]≦１．３  …  （Ａ６）
ただし、
Ｃｓ[L[LS1o]o]  ：レンズＬ[LS1o]の物体側レンズ面上の有効半径
Ｃｓ[L[LS1m]m]  ：レンズＬ[LS1m]の像側レンズ面上の有効半径
である。
【０２７５】
条件式（Ａ６）の値が上限値を上回る場合、例えば、Ｃｓ[L[LS1o]o]がＣｓ[L[LS1m]m]よりも長くなるので、開口絞りａｐｅが比較的物体側に寄る。そのため、レンズＬ[LS1o]の曲率中心と開口絞りａｐｅとの間隔が比較的長くなり、撮像レンズＬＮの軸外偏心誤差感度が高くなる。そのため、条件式（Ａ６）の値が上限値を下回れば、撮像レンズＬＮは、簡易かつ低コストで製造される。
【０２７６】
なお、以下の条件式（Ａ６ａ）を満たす撮像レンズＬＮのほうが、条件式（Ａ６）を満たす撮像レンズＬＮよりも望ましいといえる。
Ｃｓ[L[LS1o]o]／Ｃｓ[L[LS1m]m]≦１  …  （Ａ６ａ）
【０２７７】
また、開口絞りａｐｅの位置が変化すると、各レンズＬの面上にて、そのレンズ面を通過する最大像高（結像面における対角割像高であり、１０割像高とも称す）の主光線と光軸との間隔も変化する。そこで、この間隔の長さを用いた条件式（Ａ７）を一例として以下に示す。
【０２７８】
この条件式（Ａ７）は、最大像高の主光線がレンズＬ[LS1o]の物体側レンズ面上を通過する場合に生じる主光線と光軸との間隔と、最大像高の主光線がレンズＬ[LS1m]の像側面上を通過する場合に生じる主光線と光軸との間隔との比である。
【０２７９】
なお、この間隔（距離）が、各図にて示される撮像レンズＬＮにて、光軸ＡＸを境にした紙面内の上側に生じるのであれば“正”の符号を付し、下側に生じるのであれば“負”の符号を付す。また、撮像素子ＳＲ側を像側、この像側の逆側（レンズＬ[LS1o]の位置する側）を物体側とする。
【０２８０】
−１３≦ＨＹ[L[LS1m]m]／ＨＹ[L[LS1o]o]≦−０．０８  …  （Ａ７）
ただし、
ＨＹ[L[LS1m]m]  ：レンズＬ[LS1m]の像側レンズ面上にて、そのレンズ面を通過
する最大像高の主光線と光軸との間隔
ＨＹ[L[LS1o]o]  ：レンズＬ[LS1o]の物体側レンズ面上にて、そのレンズ面を通
過する最大像高の主光線と光軸との間隔
である。
【０２８１】
条件式（Ａ７）の値が下限値を下回る場合、例えば、ＨＹ[L[LS1m]m]がＨＹ[L[LS1o]o]よりも長くなるので、開口絞りａｐｅが比較的物体側に寄る。そのため、レンズＬ[LS1o]の曲率中心と開口絞りａｐｅとの間隔が比較的長くなり、撮像レンズＬＮの軸外偏心誤差感度が高くなる。そのため、条件式（Ａ７）の値が下限値を上回れば、条件式（Ａ６）が満たされる場合と同様に、撮像レンズＬＮは簡易かつ低コストで製造される。
【０２８２】
なお、条件式（Ａ７）の条件範囲のなかでも、以下の条件範囲を定めた条件式（Ａ７ａ）が満たされると望ましい。なぜなら、絞りの位置がより像側へよっており、収差性能が改善する。その結果、撮像レンズＬＮの製造難易度は一層低減する。
−１＜ＨＹ[L[LS1m]m]／ＨＹ[L[LS1o]o]  …  （Ａ７ａ）
【０２８３】
ところで、第２レンズブロックＢＫ２は、第１レンズブロックＢＫ１の像側に位置し、その第２レンズブロックＢＫ２では、第２レンズ基板ＬＳ２が含まれる。また、この第２レンズブロックＢＫ２は、第２レンズ基板ＬＳ２の物体側基板面にレンズＬ[LS2o]を連ねるとともに、第２レンズ基板ＬＳ２の像側基板面にレンズＬ[LS2m]を連ねると望ましい。
【０２８４】
そして、このような第２レンズブロックＢＫ２を含む撮像レンズＬＮにおいて、軸外光が第２レンズブロックＢＫ２の物体側面（すなわちレンズＬ[LS2o]の物体側レンズ面）に入射する場合、入射角度が大きすぎると、第２レンズ基板ＬＳ２の厚みに起因して非点隔差が増大する。この非点隔差の増大を抑制するためには、レンズＬ[LS2o]の物体側レンズ面における軸外光（特に最大像高の主光線）の到達付近が、適切な面形状になるとよい。
【０２８５】
そこで、撮像レンズＬＮにおける第２レンズブロックＢＫ２では、レンズＬ[LS2o]は、物体側レンズ面を、そのレンズ面での面頂点を凸状とするとともに最大像高の主光線と交わる部分を凹状とする非球面にすると望ましい（ただし、レンズＬ[LS2o]の像側レンズ面は平面であり、レンズＬ[LS2m]は物体側レンズ面は平面である）。
【０２８６】
なお、これらの第２レンズブロックＢＫ２では、第２レンズ基板ＬＳ２の物体側基板面とレンズＬ[LS2o]の像側レンズ面とが連なり、第２レンズ基板ＬＳ２の像側基板面とレンズＬ[LS2m]の物体側レンズ面とが連なる。
【０２８７】
このようになっていると、レンズＬ[LS2o]の物体側レンズ面にて開口絞りａｐｅの開口中心への対応位置に対して同心の（コンセントリックな）部分に、第１レンズブロックＢＫ１を通過してくる軸外光が到達する。そして、この到達部分が凹状になっていることから、軸外光がレンズＬ[LS2o]の物体側レンズ面にて比較的小さな角度で入射する。特に、レンズＬ[LS2o]の物体側レンズ面が非球面であると、一層、軸外光が比較的小さな角度で入射可能となる。
【０２８８】
その結果、撮像レンズＬＮでの非点収差が補正される。なお、このようにして非点収差が補正される場合、レンズＬ[LS2o]の物体側レンズ面に到達する光軸上の光は収斂されるとともに、軸外光は発散される。
【０２８９】
また、撮像レンズＬＮにおける第２レンズブロックＢＫでは、レンズＬ[LS2o]が物体側レンズ面を物体側凹面とすると望ましい（ただし、レンズＬ[LS2o]の像側レンズ面は平面であり、レンズＬ[LS2m]の物体側レンズ面は平面である）。
【０２９０】
なお、これらの第２レンズブロックＢＫ２でも、第２レンズ基板ＬＳ２の物体側基板面とレンズＬ[LS2o]の像側レンズ面とが連なり、第２レンズ基板ＬＳ２の像側基板面とレンズＬ[LS2m]の物体側レンズ面とが連なる。
【０２９１】
このような撮像レンズＬＮであっても、レンズＬ[LS2o]の物体側レンズ面にて開口絞りａｐｅの開口中心への対応位置に対して同心の部分に、第１レンズブロックＢＫ１を通過してくる軸外光が到達する。そして、この到達部分が凹状になっていることから、軸外光がレンズＬ[LS2o]の物体側レンズ面にて比較的小さな角度で入射し、撮像レンズＬＮでの非点収差が補正される。なお、特に、レンズＬ[LS2o]の物体側レンズ面が非球面であると、一層、軸外光が比較的小さな角度で入射可能となる。
【０２９２】
さらに、この第２レンズブロックＢＫ２でも、第２レンズ基板ＬＳ２の物体側基板面とレンズＬ[LS2o]の像側レンズ面とが連なり、第２レンズ基板ＬＳ２の像側基板面とレンズＬ[LS2m]の物体側レンズ面とが連なる。
【０２９３】
この撮像レンズＬＮでは、軸外光線に起因する非点収差が比較的大きく発生するため、広角な光学系には向かない。しかしながら、レンズＬ[LS2o]が物体側レンズ面が物体側凸面であることから、非球面のサグ量が比較的少なくても、光が撮像素子ＳＲの受光面に結像される。また、非球面のサグ量が比較的少ないことから、撮像レンズＬＮの製造も簡易になる。
【０２９４】
なお、このような撮像レンズＬＮであっても、前述した条件式（Ａ３ｂ）である
“１．８＜ｆ[all]／Ｙ’＜２．１” を満たしていれば、諸収差を十分に補正する。
【０２９５】
ところで、第１レンズブロックＢＫ１〜第３レンズブロックＢＫ３を含む撮像レンズＬＮにあって、第３レンズブロックＢＫ３では、第３レンズ基板ＬＳ３が含まれる。そして、この第３レンズブロックＢＫ３は、第３レンズ基板ＬＳ３の物体側基板面にレンズＬ[LS3o]を連ねるとともに、第３レンズ基板ＬＳ３の像側基板面にレンズＬ[LS3m]を連ねると望ましい。
【０２９６】
さらに、このような第３レンズブロックＢＫ３を含む撮像レンズＬＮでは、軸外光が第３レンズブロックＢＫ３の物体側面（すなわち、レンズＬ[LS3o]の物体側レンズ面）に入射する場合、入射角度が大きすぎると、第３レンズ基板ＬＳ３の厚みに起因して非点隔差が増大する（要は、第２レンズブロックＢＫ２の場合と同様に、非点隔差が増大する）。
【０２９７】
そこで、第３レンズブロックＢＫ３を含む撮像レンズＬＮでは、レンズＬ[LS3o]は、物体側レンズ面を物体側凹面とすると望ましい（なお、レンズＬ[LS3o]の像側レンズ面は平面であり、レンズＬ[LS3m]の物体側レンズ面は平面である）。
【０２９８】
なお、第３レンズ基板ＬＳ３の物体側基板面とレンズＬ[LS3o]の像側レンズ面とが連なり、第３レンズ基板ＬＳ３の像側基板面とレンズＬ[LS3m]物体側レンズ面とが連なる。
【０２９９】
このような撮像レンズＬＮでは、レンズＬ[LS3o]の物体側レンズ面にて開口絞りａｐｅの開口中心への対応位置に対して同心の部分に、第２レンズブロックＢＫ２を通過してくる軸外光が到達する。そして、この到達部分が凹状になっていることから、軸外光がレンズＬ[LS3o]の物体側レンズ面にて比較的小さな角度で入射し、撮像レンズＬＮでの非点収差が補正される。なお、特に、レンズＬ[LS3o]の物体側レンズ面が非球面であると、一層、軸外光が比較的小さな角度で入射可能となる。
【０３００】
また、このような３つのレンズブロックＢＫを含む撮像レンズＬＮでは、全長が増大しやすく、像面に対するテレセントリック性の確保が難しい。そこで、このような撮像レンズＬＮの第３レンズブロックＢＫ３では、レンズＬ[LS3o]の物体側レンズ面およびレンズＬ[LS3m]の像側レンズ面の少なくとも一方のレンズ面が非球面になると望ましい（ただし、レンズＬ[LS3o]の像側レンズ面およびレンズＬ[LS3m]の物体側レンズ面の両レンズ面は平面である）。
【０３０１】
なお、これらの第３レンズブロックＢＫ３では、第３レンズ基板ＬＳ３の物体側基板面とレンズＬ[LS3o]の像側レンズ面とが連なり、第３レンズ基板ＬＳ３の像側基板面とレンズＬ[LS3m]の物体側レンズ面とが連なる。
【０３０２】
このようになっていると、第１レンズブロックＢＫ１および第２レンズブロックＢＫ２を通過してくる光が、さらに第３レンズブロックＢＫ３を通過する場合、レンズＬ[LS3o]の物体側レンズ面は光の入射面となり、レンズＬ[LS3m]の像側レンズ面は光の出射面となる。そして、この入射面と出射面との少なくとも一方が非球面であると、第３レンズブロックＢＫ３を通過する光は、像面に対してテレセントリックになるように導かれる。特に、最大像高の主光線の像面に対する入射角度が、入射面および出射面の非球面によって、なお一層像面にテレセントリックになるように導かれる。
【０３０３】
なお、非球面は、空気に触れるレンズ面であれば望ましい。なぜなら、空気とレンズ材料との境界では、最も屈折率差が大きくなるので、非球面の効果が最も発揮されるためである。
【０３０４】
また、色収差補正の観点から、レンズブロックＢＫにおけるレンズＬとレンズ基板ＬＳとは、互いに異なる屈折率を有すると望ましい。
【０３０５】
なお、以下に、全ての実施例（ＥＸ１〜ＥＸ１８）および比較例（ＣＥＸ）における条件式（Ａ１〜Ａ７）の結果、製造誤差感度（ＥＭＳ）、および軸外偏心誤差感度（ＯＭＳ）を示す。
【０３０６】
ただし、製造誤差感度（ＥＭＳ）は、以下の式により求められるＲＭＳ値である。また、軸外偏心誤差感度（ＯＭＳ）は、実施例１８の製造誤差感度を“１.００”とした場合での比率である。
【０３０７】
ＥＭＳ＝［｛（α2＋β2）／１．７５｝／Ｆｎｏ］×２．８
ただし、
α        ：レンズ面（物体側レンズ面）が光軸ＡＸに対して５μｍシフト偏心
した場合でのメリジオナル像面の変化量
β        ：レンズブロックＢＫが光軸ＡＸに対して１５μｍシフト偏心した場
合でのメリジオナル像面の変化量
１．７５  ：撮像素子ＳＲにおける画素ピッチサイズ［単位；μｍ］
Ｆｎｏ    ：各実施例の撮像レンズＬＮのＦナンバー
２．８    ：規格化のために使用するＦナンバー
である。
【０３０８】
なお、表での“×”は、条件式に対応する値を求められないことを意味する。また、実施例１〜１８は、条件式（Ａ２）を満たすため表では省略する。また、表での下線は、条件を満たさないことを意味する。
【０３０９】
【表３９】
0004513924.tif 000040
【０３１０】
［実施の形態２］
実施の形態２について説明する。なお、実施の形態１で用いた部材と同様の機能を有する部材については同一の符号を付記し、その説明を省略する。この実施の形態では、レンズＬを形成する樹脂について説明する。
【０３１１】
樹脂は、加工性に優れている。そのため、実施の形態１で列挙してきたレンズＬが樹脂で形成される場合、金型等で簡易に非球面のレンズ面が形成される。
【０３１２】
ただし、通常、透明な樹脂（ポリメチルメタクリレート等）に微粒子が混合すると、樹脂内に光の散乱が生じ、透過率が低下する。そのため、微粒子を含有する樹脂は、光学材料として不向きといえる。
【０３１３】
また、樹脂は、温度に依存して屈折率を変える。例えば、以下のローレンツ・ローレンツの式（ＬＬ）で、ポリメチルメタクリレート（ＰＭＭＡ）の屈折率の温度依存性、すなわち、温度に依存する屈折率変化（ｄｎ／ｄｔ）を求めてみる。
【数ＬＬ】
0004513924.tif 000041
ただし、
ｎ   ：樹脂の屈折率
ｔ   ：温度
α   ：線膨張係数（なお、ＰＭＭＡの場合、α＝７×１０-5である）
［Ｒ］ ：分子屈折
である。
【０３１４】
すると、ＰＭＭＡの場合、屈折率変化が“−１．２×１０-4［／℃］”となる。この数値は実測値とほぼ一致する。したがって、樹脂（プラスチック）だけでレンズＬが形成されると、そのレンズＬの有する屈折率変化は、温度に依存せざるを得ない。その上、このような樹脂に単純に微粒子を混在させてレンズＬが形成されると、そのレンズＬは光を散乱させるだけでなく、温度に応じて屈折率を変えることになる。
【０３１５】
しかしながら、最近、樹脂が適切に設計された微粒子を含むことで、光学材料として使用可能であることがわかってきた。なぜなら、微粒子を含有する樹脂（混合樹脂）では、その微粒子の粒径が透過光束の波長より小さくなっていると、光の散乱が発生しない。
【０３１６】
その上、微粒子が無機微粒子であると、その無機微粒子は温度上昇にともなって屈折率を上昇させる。そのため、混合樹脂にて、温度上昇にともなった樹脂の屈折率低下と、温度上昇にともなった無機微粒子の屈折率上昇とが同時に発生する。すると、両方の温度依存性（屈折率低下・屈折率上昇）が相殺され、その結果、混合樹脂の屈折率変化が温度に依存して起きにくくなる（例えば、レンズＬにて、面形状変化に起因する近軸像点位置への影響とほぼ同程度に、屈折率変化が抑えられる）。
【０３１７】
なお、特開２００７−１２６６３６号に、以上の一例である混合樹脂、すなわち、樹脂（母材）に最大長３０ｎｍ以下の無機微粒子｛子材；酸化ニオブ（Ｎｂ2Ｏ5）等｝を分散させた混合樹脂が開示される。
【０３１８】
以上を踏まえると、レンズＬが３０ｎｍ以下の無機微粒子を分散させた樹脂（混合樹脂）で形成されると、そのレンズＬを含む撮像レンズＬＮは、温度に対して高い耐久性を有する。また、例えば、混合樹脂における樹脂と無機微粒子との比率、無機微粒子の粒径の長さ（例えば、最大長２０ｎｍ以下、さらに望ましくは１５ｎｍ以下）、母材となる樹脂の種類、および子材となる無機微粒子の種類、が適切に調整されると、レンズＬが高屈折率を発揮する。すると、混合樹脂でレンズＬが形成されると、そのレンズＬを含む撮像レンズＬＮがコンパクトになったり、レンズＬの成形難易度が低減したりする
【０３１９】
なお、以上のような樹脂は硬化型樹脂であると望ましい。なぜなら、このような硬化型樹脂であれば、金型等によって、簡易に非球面を含むレンズＬが製造されるためである。また、樹脂に接着性があれば（または樹脂に接着剤が混在していれば）、その樹脂製のレンズＬはレンズ基板ＬＳに容易に接合する。つまり、直接接着されたレンズ基板ＬＳおよびレンズＬを含むレンズブロックＢＫブロックが簡単に製造される。
【０３２０】
さらに、以上のような樹脂が耐熱性を有するとよい。例えば、撮像レンズＬＮおよび撮像素子ＳＲを一体化したモジュール（カメラモジュール）は、ペースト状のハンダの印刷されたプリント基板（回路基板）に取り付けられた後、加熱処理（リフロー処理）されることで、そのプリント基板に実装される。特に、このような実装はオートメーションで行われる。すると、レンズＬが耐熱性の硬化型樹脂であれば、リフロー処理に耐えられるので、オートメーションに適する（もちろん、レンズ基板ＬＳも耐熱性の高い材料、例えば、ガラスだと望ましい）。
【０３２１】
なお、硬化型樹脂の一例としては、熱硬化型樹脂および紫外線（ＵＶ）硬化型樹脂が挙げられる。
【０３２２】
そして、熱硬化型樹脂の場合、レンズＬが比較的厚かったとしても、精度よく製造される。また、ＵＶ硬化型樹脂の場合、比較的短時間で硬化するため、レンズＬが短時間で製造される。
【０３２３】
最後に、本発明は上記の実施の形態に限定されず、本発明の趣旨を逸脱しない範囲で、種々の変更が可能である。
【符号の説明】
【０３２４】
ＢＫ    レンズブロック
Ｌ      レンズ
ＬＳ    レンズ基板
ａｐｅ  開口絞り
ｓ      レンズ面・基板面
＊      非球面
ＰＴ    平行平板
ＬＮ    撮像レンズ
ＳＲ    撮像素子
ＩＭ    像面（光学像）
ＳＳ    受光面
ＡＸ    光軸
ＬＵ    撮像装置
ＣＵ    携帯端末
１      信号処理部
２      制御部
３      メモリ
４      操作部
５      表示部
【図１】
0004513924.tif 000042
【図２】
0004513924.tif 000043
【図３】
0004513924.tif 000044
【図４】
0004513924.tif 000045
【図５】
0004513924.tif 000046
【図６】
0004513924.tif 000047
【図７】
0004513924.tif 000048
【図８】
0004513924.tif 000049
【図９】
0004513924.tif 000050
【図１０】
0004513924.tif 000051
【図１１】
0004513924.tif 000052
【図１２】
0004513924.tif 000053
【図１３】
0004513924.tif 000054
【図１４】
0004513924.tif 000055
【図１５】
0004513924.tif 000056
【図１６】
0004513924.tif 000057
【図１７】
0004513924.tif 000058
【図１８】
0004513924.tif 000059
【図１９】
0004513924.tif 000060
【図２０Ａ】
0004513924.tif 000061
【図２０Ｂ】
0004513924.tif 000062
【図２０Ｃ】
0004513924.tif 000063
【図２１Ａ】
0004513924.tif 000064
【図２１Ｂ】
0004513924.tif 000065
【図２１Ｃ】
0004513924.tif 000066
【図２２Ａ】
0004513924.tif 000067
【図２２Ｂ】
0004513924.tif 000068
【図２２Ｃ】
0004513924.tif 000069
【図２３Ａ】
0004513924.tif 000070
【図２３Ｂ】
0004513924.tif 000071
【図２３Ｃ】
0004513924.tif 000072
【図２４Ａ】
0004513924.tif 000073
【図２４Ｂ】
0004513924.tif 000074
【図２４Ｃ】
0004513924.tif 000075
【図２５Ａ】
0004513924.tif 000076
【図２５Ｂ】
0004513924.tif 000077
【図２５Ｃ】
0004513924.tif 000078
【図２６Ａ】
0004513924.tif 000079
【図２６Ｂ】
0004513924.tif 000080
【図２６Ｃ】
0004513924.tif 000081
【図２７Ａ】
0004513924.tif 000082
【図２７Ｂ】
0004513924.tif 000083
【図２７Ｃ】
0004513924.tif 000084
【図２８Ａ】
0004513924.tif 000085
【図２８Ｂ】
0004513924.tif 000086
【図２８Ｃ】
0004513924.tif 000087
【図２９Ａ】
0004513924.tif 000088
【図２９Ｂ】
0004513924.tif 000089
【図２９Ｃ】
0004513924.tif 000090
【図３０Ａ】
0004513924.tif 000091
【図３０Ｂ】
0004513924.tif 000092
【図３０Ｃ】
0004513924.tif 000093
【図３１Ａ】
0004513924.tif 000094
【図３１Ｂ】
0004513924.tif 000095
【図３１Ｃ】
0004513924.tif 000096
【図３２Ａ】
0004513924.tif 000097
【図３２Ｂ】
0004513924.tif 000098
【図３２Ｃ】
0004513924.tif 000099
【図３３Ａ】
0004513924.tif 000100
【図３３Ｂ】
0004513924.tif 000101
【図３３Ｃ】
0004513924.tif 000102
【図３４Ａ】
0004513924.tif 000103
【図３４Ｂ】
0004513924.tif 000104
【図３４Ｃ】
0004513924.tif 000105
【図３５Ａ】
0004513924.tif 000106
【図３５Ｂ】
0004513924.tif 000107
【図３５Ｃ】
0004513924.tif 000108
【図３６Ａ】
0004513924.tif 000109
【図３６Ｂ】
0004513924.tif 000110
【図３６Ｃ】
0004513924.tif 000111
【図３７Ａ】
0004513924.tif 000112
【図３７Ｂ】
0004513924.tif 000113
【図３７Ｃ】
0004513924.tif 000114
【図３８Ａ】
0004513924.tif 000115
【図３８Ｂ】
0004513924.tif 000116
【図３８Ｃ】
0004513924.tif 000117
【図３９】
0004513924.tif 000118
【図４０Ａ】
0004513924.tif 000119
【図４０Ｂ】
0004513924.tif 000120
【図４０Ｃ】
0004513924.tif 000121